(57)【要約】  上りランダムアクセス手順において実行されるビーム決定方法、ユーザー装置及び基地局を開示する。前記ユーザー装置は複数の送信ビーム及び複数の受信ビームを有してもよく、前記基地局は複数の送信ビーム及び複数の受信ビームを有する。ユーザー装置により実行されるビーム決定方法は、基地局が送信した下り同期信号に基づいて、ユーザー装置の前記複数の受信ビームのうちの利用可能受信ビーム及び基地局の前記複数の送信ビームのうちの利用可能送信ビームを決定することと、基地局の利用可能送信ビームを示す情報を、基地局に暗黙的に通知すること、を含む。基地局により実行されるビーム決定方法は、ユーザー装置へ下り同期信号を送信することと、ユーザー装置から暗黙的に通知される、基地局の利用可能送信ビームを示す情報に基づいて、基地局の利用可能送信ビームを決定すること、を含む。
2019537329.tif 000002
【特許請求の範囲】
【請求項１】
複数の送信ビーム及び複数の受信ビームを有する基地局と、複数の送信ビーム及び複数の受信ビームを有するユーザー装置とを備える通信システムにおいて、ユーザー装置により上りランダムアクセス手順において実行されるビーム決定方法であって、
基地局が送信した下り同期信号に基づいて、ユーザー装置の前記複数の受信ビームのうちの利用可能受信ビーム及び基地局の前記複数の送信ビームのうちの利用可能送信ビームを決定することと、
基地局の利用可能送信ビームを示す情報を、基地局に暗黙的に通知することと、を含む、方法。
【請求項２】
基地局の利用可能送信ビームを示す情報を、基地局に暗黙的に通知することは、
基地局がコレスポンデンスをサポートする場合、基地局の利用可能送信ビームに対応する時間リソースにおいてランダムアクセスプリアンブルを基地局に送信することを含む、請求項１に記載の方法。
【請求項３】
基地局が送信した、基地局がコレスポンデンスをサポートするかどうかを示す情報を含むランダムアクセスチャネル構成に基づいて、基地局がコレスポンデンスをサポートするかどうかを決定する、請求項２に記載の方法。
【請求項４】
基地局が送信した、ランダムアクセスプリアンブルの時間リソースと基地局の各送信ビームとの対応関係を示す情報を含むランダムアクセスチャネル構成に基づいて、基地局の利用可能送信ビームに対応するランダムアクセスプリアンブルの時間リソースを決定する、請求項２に記載の方法。
【請求項５】
基地局の利用可能送信ビームを示す情報を、基地局に暗黙的に通知することは、
基地局が送信した、基地局の各送信ビームと該送信ビームに関連するランダムアクセスプリアンブルとを示すランダムアクセスチャネル構成情報に基づいて、基地局の利用可能送信ビームに関連するランダムアクセスプリアンブルを決定することと、
基地局の利用可能送信ビームに関連するランダムアクセスプリアンブルを基地局に送信することと、を含む、請求項１に記載の方法。
【請求項６】
ユーザー装置がコレスポンデンスをサポートし、且つ、前記方法は、
コレスポンデンスを利用して、ユーザー装置の利用可能受信ビームに基づいてユーザー装置の利用可能送信ビームを決定することを更に含む、請求項１に記載の方法。
【請求項７】
基地局がコレスポンデンスをサポートする場合、基地局の利用可能送信ビームに対応する時間リソースにおいてランダムアクセスプリアンブルを基地局に送信することを更に含む、請求項６に記載の方法。
【請求項８】
基地局が送信した、基地局がコレスポンデンスをサポートするかどうかを示す情報を含むランダムアクセスチャネル構成に基づいて、基地局がコレスポンデンスをサポートするかどうかを決定する、請求項７に記載の方法。
【請求項９】
基地局が送信した、ランダムアクセスプリアンブルの時間リソースと基地局の各送信ビームとの対応関係を示す情報を含むランダムアクセスチャネル構成に基づいて、基地局の利用可能送信ビームに対応するランダムアクセスプリアンブルの時間リソースを決定する、請求項７に記載の方法。
【請求項１０】
走査周期に、ユーザー装置の利用可能送信ビームを利用して、基地局の複数の受信ビームへランダムアクセスプリアンブルを送信することを更に含む、請求項６に記載の方法。
【請求項１１】
基地局がコレスポンデンスをサポートする場合、コレスポンデンスを利用して、基地局の利用可能送信ビームに基づいて基地局の利用可能受信ビームを決定することと、
複数の走査周期ごとに、１つの送信ビームを利用して基地局の利用可能受信ビームへ該走査周期に関連するランダムアクセスプリアンブルを送信すること、を更に含み、
異なる走査周期に利用される送信ビームが異なる、請求項１に記載の方法。
【請求項１２】
基地局が該基地局の利用可能送信ビームを利用して送信した少なくとも１つのランダムアクセス応答を受信することと、
送信された各ランダムアクセスプリアンブルに対応する無線ネットワーク一時識別子をそれぞれ利用して、前記少なくとも１つのランダムアクセス応答のうちの少なくとも１つの制御チャネルをデスクランブルすることで、前記少なくとも１つのランダムアクセス応答のうちの少なくとも１つの制御チャネルのデスクランブルに成功した無線ネットワーク一時識別子を決定することと、
決定された無線ネットワーク一時識別子のうちの１つに対応するランダムアクセスプリアンブルを送信した送信ビームを、ユーザー装置の利用可能送信ビームとして決定すること、を更に含む、請求項１１に記載の方法。
【請求項１３】
基地局が該基地局の利用可能送信ビームを利用して送信した少なくとも１つのランダムアクセス応答を受信することと、
ランダムアクセス応答の物理リソースとランダムアクセスプリアンブルの物理リソースとの所定の関連関係に基づいて、受信された少なくとも１つのランダムアクセス応答のうちの少なくとも１つの物理リソースに関連する物理リソースを利用して送信したランダムアクセスプリアンブルを決定することと、
決定されたランダムアクセスプリアンブルのうちの１つを送信した送信ビームを、ユーザー装置の利用可能送信ビームとして決定すること、を更に含む、請求項１１に記載の方法。
【請求項１４】
基地局がコレスポンデンスをサポートする場合、コレスポンデンスを利用して、基地局の利用可能送信ビームに基づいて基地局の利用可能受信ビームを決定することと、
複数の走査周期ごとに、複数の送信ビームを利用して異なる物理リソースにおいて基地局の利用可能受信ビームへ該走査周期に関連するランダムアクセスプリアンブルを送信すること、を更に含み、
異なる走査周期に利用される送信ビームが異なる、請求項１に記載の方法。
【請求項１５】
基地局が該基地局の利用可能送信ビームを利用して送信した少なくとも１つのランダムアクセス応答を受信することと、
送信された各ランダムアクセスプリアンブルに対応する無線ネットワーク一時識別子をそれぞれ利用して前記少なくとも１つのランダムアクセス応答のうちの少なくとも１つの制御チャネルをデスクランブルすることで、前記少なくとも１つのランダムアクセス応答のうちの少なくとも１つの制御チャネルのデスクランブルに成功した無線ネットワーク一時識別子を決定することと、
決定された無線ネットワーク一時識別子のうちの１つに対応するランダムアクセスプリアンブルを送信した送信ビームを、ユーザー装置の利用可能送信ビームとして決定すること、を更に含む、請求項１４に記載の方法。
【請求項１６】
異なる走査周期に関連するランダムアクセスプリアンブルが同じ又は異なる、請求項１１又は１４に記載の方法。
【請求項１７】
基地局がコレスポンデンスをサポートする場合、コレスポンデンスを利用して、基地局の利用可能送信ビームに基づいて基地局の利用可能受信ビームを決定することと、
複数の走査周期ごとに、複数の送信ビームを利用して同じ物理リソースにおいて基地局の利用可能受信ビームへ異なるランダムアクセスプリアンブルを送信すること、を更に含み、
異なる走査周期に利用される送信ビームが異なる、請求項１に記載の方法。
【請求項１８】
基地局が該基地局の利用可能送信ビームを利用して送信した複数のランダムアクセス応答を受信することと、
送信された各ランダムアクセスプリアンブルに対応する無線ネットワーク一時識別子をそれぞれ利用して前記複数のランダムアクセス応答のうちの少なくとも１つのランダムアクセス応答の制御チャネルをデスクランブルすることで、前記少なくとも１つのランダムアクセス応答の制御チャネルのデスクランブルに成功した無線ネットワーク一時識別子を決定することと、
決定された無線ネットワーク一時識別子のうちの１つに対応するランダムアクセスプリアンブルの送信ビームをユーザー装置の利用可能送信ビームとして決定すること、を更に含む、請求項１７に記載の方法。
【請求項１９】
基地局が送信した、基地局がコレスポンデンスをサポートするかどうかを示す情報を含む構成情報に基づいて、基地局がコレスポンデンスをサポートするかどうかを決定する、請求項１１、１４又は１７に記載の方法。
【請求項２０】
複数の走査周期ごとに、１つの送信ビームを利用して基地局の複数の受信ビームへ該走査周期に関連するランダムアクセスプリアンブルを送信すること、を更に含み、
異なる走査周期に利用される送信ビームが異なる、請求項１に記載の方法。
【請求項２１】
基地局が該基地局の利用可能送信ビームを利用して送信した複数のランダムアクセス応答を受信することと、
各走査周期に送信したランダムアクセスプリアンブルに対応する無線ネットワーク一時識別子をそれぞれ利用して前記複数のランダムアクセス応答のうちの少なくとも１つのランダムアクセス応答の制御チャネルをデスクランブルすることで、前記少なくとも１つのランダムアクセス応答の制御チャネルのデスクランブルに成功した無線ネットワーク一時識別子を決定することと、
決定された無線ネットワーク一時識別子のうちの１つに対応するランダムアクセスプリアンブルの送信ビームをユーザー装置の利用可能送信ビームとして決定すること、を更に含む、請求項２０に記載の方法。
【請求項２２】
基地局が該基地局の利用可能送信ビームを利用して送信した複数のランダムアクセス応答を受信することと、
ランダムアクセス応答の物理リソースとランダムアクセスプリアンブルの物理リソースとの所定の関連関係に基づいて、前記複数のランダムアクセス応答のうちの少なくとも１つに対応するランダムアクセスプリアンブルを決定することと、
決定されたランダムアクセスプリアンブルのうちの１つを送信した送信ビームを、ユーザー装置の利用可能送信ビームとして決定すること、を更に含む、請求項２０に記載の方法。
【請求項２３】
複数の走査周期ごとに、複数の送信ビームを利用して異なる物理リソースにおいて基地局の複数の受信ビームへランダムアクセスプリアンブルを送信すること、を更に含み、
異なる走査周期に利用される送信ビームが異なる、請求項１に記載の方法。
【請求項２４】
基地局が該基地局の利用可能送信ビームを利用して送信した少なくとも１つのランダムアクセス応答を受信することと、
送信された各ランダムアクセスプリアンブルに対応する無線ネットワーク一時識別子をそれぞれ利用して前記少なくとも１つのランダムアクセス応答のうちの少なくとも１つの制御チャネルをデスクランブルすることで、前記少なくとも１つのランダムアクセス応答のうちの少なくとも１つの制御チャネルのデスクランブルに成功した無線ネットワーク一時識別子を決定することと、
決定された無線ネットワーク一時識別子のうちの１つに対応するランダムアクセスプリアンブルを送信した送信ビームを、ユーザー装置の利用可能送信ビームとして決定すること、を更に含む、請求項２３に記載の方法。
【請求項２５】
異なる走査周期に関連するランダムアクセスプリアンブルが同じ又は異なる、請求項２０又は２３に記載の方法。
【請求項２６】
複数の走査周期ごとに、複数の送信ビームを利用して同じ物理リソースにおいて基地局の複数の受信ビームへ異なるランダムアクセスプリアンブルを送信すること、を更に含み、
異なる走査周期に利用される送信ビームが異なる、請求項１に記載の方法。
【請求項２７】
基地局が該基地局の利用可能送信ビームを利用して送信した複数のランダムアクセス応答を受信することと、
送信された各ランダムアクセスプリアンブルに対応する無線ネットワーク一時識別子をそれぞれ利用して前記複数のランダムアクセス応答のうちの少なくとも１つのランダムアクセス応答の制御チャネルをデスクランブルすることで、前記少なくとも１つのランダムアクセス応答の制御チャネルのデスクランブルに成功した無線ネットワーク一時識別子を決定することと、
決定された無線ネットワーク一時識別子のうちの１つに対応するランダムアクセスプリアンブルの送信ビームをユーザー装置の利用可能送信ビームとして決定すること、を更に含む、請求項２６に記載の方法。
【請求項２８】
基地局が送信した、基地局がコレスポンデンスをサポートするかどうかを示す情報を含む構成情報に基づいて、基地局がコレスポンデンスをサポートするかどうかを決定する、請求項２０、２３又は２６に記載の方法。
【請求項２９】
複数の送信ビーム及び複数の受信ビームを有する基地局と、複数の送信ビーム及び複数の受信ビームを有するユーザー装置とを備える通信システムにおいて、基地局により上りランダムアクセス手順において実行されるビーム決定方法であって、
ユーザー装置へ下り同期信号を送信することと、
ユーザー装置から暗黙的に通知される、基地局の利用可能送信ビームを示す情報に基づいて、基地局の利用可能送信ビームを決定すること、を含む、ビーム決定方法。
【請求項３０】
前記基地局がコレスポンデンスをサポートし、且つ、ユーザー装置から暗黙的に通知される、基地局の利用可能送信ビームを示す情報に基づいて、基地局の利用可能送信ビームを決定することは、
走査周期に、ユーザー装置が送信したランダムアクセスプリアンブルを受信することと、
基地局の複数の送信ビームから、受信されたランダムアクセスチャネルに用いられた時間リソースに対応する送信ビームを基地局の利用可能送信ビームとして決定すること、を含む、請求項２９に記載の方法。
【請求項３１】
基地局がコレスポンデンスをサポートするかどうかを示す情報を含むランダムアクセスチャネル構成を、ユーザー装置へ送信すること、を更に含む、請求項３０に記載の方法。
【請求項３２】
ランダムアクセスプリアンブルの時間リソースと基地局の各送信ビームとの対応関係に基づいて、受信されたランダムアクセスチャネルに用いられた時間リソースに対応する送信ビームを決定する、請求項３０に記載の方法。
【請求項３３】
ユーザー装置から暗黙的に通知される、基地局の利用可能送信ビームを示す情報に基づいて、基地局の利用可能送信ビームを決定することは、
ユーザー装置が送信したランダムアクセスプリアンブルを受信することと、
基地局の各送信ビームと該送信ビームに関連するランダムアクセスプリアンブルとを示すランダムアクセスチャネル構成に基づいて、受信されたランダムアクセスプリアンブルに関連する送信ビームを基地局の利用可能送信ビームとして決定すること、を含む、請求項２９に記載の方法。
【請求項３４】
基地局がコレスポンデンスをサポートし、且つ、前記方法は、
コレスポンデンスを利用して、基地局の利用可能送信ビームに基づいて基地局の利用可能受信ビームを決定すること、を更に含む、請求項２９に記載の方法。
【請求項３５】
走査周期に、複数の受信ビームを利用してユーザー装置が送信したランダムアクセスプリアンブルを受信することと、
受信された複数のランダムアクセスプリアンブルから、条件を満足するランダムアクセスプリアンブルを決定することと、
決定されたランダムアクセスプリアンブルを受信した受信ビームを、基地局の利用可能受信ビームとして決定すること、を更に含む、請求項２９に記載の方法。
【請求項３６】
前記基地局がコレスポンデンスをサポートし、且つ、前記方法は、
コレスポンデンスを利用して、基地局の利用可能送信ビームに基づいて基地局の利用可能受信ビームを決定することと、
複数の走査周期ごとに、基地局の利用可能受信ビームを利用してユーザー装置が送信した該走査周期に関連するランダムアクセスプリアンブルを受信することと、
受信された複数のランダムアクセスプリアンブルから、条件を満足する少なくとも１つのランダムアクセスプリアンブルを決定することと、
決定された少なくとも１つのランダムアクセスプリアンブルにそれぞれ応答して、基地局の利用可能送信ビームを利用してユーザー装置へ少なくとも１つのランダムアクセス応答を送信すること、を更に含み、
各ランダムアクセス応答は、決定された対応するランダムアクセスプリアンブルに対応する無線ネットワーク一時識別子によりスクランブルされる、請求項２９に記載の方法。
【請求項３７】
前記基地局がコレスポンデンスをサポートし、且つ、前記方法は、
コレスポンデンスを利用して、基地局の利用可能送信ビームに基づいて基地局の利用可能受信ビームを決定することと、
複数の走査周期ごとに、基地局の利用可能受信ビームを利用してユーザー装置が送信した該走査周期に関連するランダムアクセスプリアンブルを受信することと、
受信された複数のランダムアクセスプリアンブルから、条件を満足する少なくとも１つのランダムアクセスプリアンブルを決定することと、
決定された少なくとも１つのプリアンブルに応答して基地局の利用可能送信ビームを利用してユーザー装置へ少なくとも１つのランダムアクセス応答を送信すること、を更に含み、
各ランダムアクセス応答は、ランダムアクセス応答の物理リソースとランダムアクセスプリアンブルの物理リソースとの所定の関連関係に基づいて決定された、対応するランダムアクセスプリアンブルの物理リソースに関連する物理リソースにより送信される、請求項２９に記載の方法。
【請求項３８】
基地局がコレスポンデンスをサポートするかどうかを示す情報を含むランダムアクセスチャネル構成を、ユーザー装置へ送信すること、を更に含む、請求項３６又は３７に記載の方法。
【請求項３９】
複数の走査周期ごとに、複数の受信ビームを利用してユーザー装置が送信した該走査周期に関連するランダムアクセスプリアンブルを受信することと、
各走査周期に受信した複数のランダムアクセスプリアンブルから、条件を満足するランダムアクセスプリアンブルを決定することと、
各走査周期に対して決定したランダムアクセスプリアンブルに応答して、基地局の利用可能送信ビームを利用してランダムアクセス応答を送信すること、を更に含み、
該ランダムアクセス応答は、対応するランダムアクセスプリアンブルに対応する無線ネットワーク一時識別子によりスクランブルされる、請求項２９に記載の方法。
【請求項４０】
複数の走査周期ごとに、複数の受信ビームを利用してユーザー装置が送信した該走査周期に関連するランダムアクセスプリアンブルを受信することと、
各走査周期に受信した複数のランダムアクセスプリアンブルから、条件を満足するランダムアクセスプリアンブルを決定することと、
各走査周期に対して決定したランダムアクセスプリアンブルに応答して、基地局の利用可能送信ビームを利用してユーザー装置へランダムアクセス応答を送信すること、を更に含み、
該ランダムアクセス応答は、ランダムアクセス応答の物理リソースとランダムアクセスプリアンブルの物理リソースとの所定の関連関係に基づいて決定された、対応するランダムアクセスプリアンブルの物理リソースに対応する物理リソースにより送信される、請求項２９に記載の方法。
【請求項４１】
基地局が送信した、基地局がコレスポンデンスをサポートするかどうかを示す情報を含む構成情報に基づいて、基地局がコレスポンデンスをサポートするかどうかを決定する、請求項３９又は４０に記載の方法。
【請求項４２】
複数の送信ビーム及び複数の受信ビームを有する基地局と、全方向性アンテナを有するユーザー装置とを備える通信システムにおいて、ユーザー装置により上りランダムアクセス手順において実行されるビーム決定方法であって、
基地局が送信した下り同期信号に基づいて、基地局の前記複数のビームのうちの利用可能送信ビームを決定することと、
基地局の利用可能送信ビームを示す情報を、基地局に暗黙的に通知すること、を含む、ビーム決定方法。
【請求項４３】
基地局の利用可能送信ビームを示す情報を、基地局に暗黙的に通知することは、
基地局がコレスポンデンスをサポートする場合、基地局の利用可能送信ビームに対応する時間リソースにおいてランダムアクセスプリアンブルを基地局に送信すること、を含む、請求項４２に記載の方法。
【請求項４４】
基地局が送信した、基地局がコレスポンデンスをサポートするかどうかを示す情報を含むランダムアクセスチャネル構成に基づいて、基地局がコレスポンデンスをサポートするかどうかを決定する、請求項４３に記載の方法。
【請求項４５】
基地局が送信した、ランダムアクセスプリアンブルの時間リソースと基地局の各送信ビームとの対応関係を示す情報を含むランダムアクセスチャネル構成に基づいて、基地局の利用可能送信ビームに対応するランダムアクセスプリアンブルの時間リソースを決定する、請求項４３に記載の方法。
【請求項４６】
基地局の利用可能送信ビームを示す情報を、基地局に暗黙的に通知することは、
基地局が送信した、基地局の各送信ビームと該送信ビームに関連するランダムアクセスプリアンブルとを示すランダムアクセスチャネル構成に基づいて、基地局の利用可能送信ビームに関連するランダムアクセスプリアンブルを決定することと、
基地局の利用可能送信ビームに関連するランダムアクセスプリアンブルを基地局に送信すること、を含む、請求項４２に記載の方法。
【請求項４７】
走査周期に、基地局の複数の受信ビームへランダムアクセスプリアンブルを送信すること、を更に含む、請求項４２に記載の方法。
【請求項４８】
複数の送信ビーム及び複数の受信ビームを有する基地局と、全方向性アンテナを有するユーザー装置とを備える通信システムにおいて、基地局により上りランダムアクセス手順において実行されるビーム決定方法であって、
ユーザー装置へ下り同期信号を送信することと、
ユーザー装置から暗黙的に通知される、基地局の利用可能送信ビームを示す情報に基づいて、基地局の利用可能送信ビームを決定すること、を含む、ビーム決定方法。
【請求項４９】
前記基地局がコレスポンデンスをサポートし、且つ、ユーザー装置から暗黙的に通知される、基地局の利用可能送信ビームを示す情報に基づいて、基地局の利用可能送信ビームを決定することは、
走査周期に、ユーザー装置が送信したランダムアクセスプリアンブルを受信することと、
基地局の複数の送信ビームから、受信されたランダムアクセスチャネルに用いられた時間リソースに対応する送信ビームを基地局の利用可能送信ビームとして決定すること、を含む、請求項４８に記載の方法。
【請求項５０】
コレスポンデンスを利用して、基地局の利用可能送信ビームに基づいて基地局の利用可能受信ビームを決定すること、を更に含む、請求項４９に記載の方法。
【請求項５１】
基地局がコレスポンデンスをサポートするかどうかを示す情報を含むランダムアクセスチャネル構成をユーザー装置に送信すること、を更に含む、請求項５０に記載の方法。
【請求項５２】
ランダムアクセスプリアンブルの時間リソースと基地局の各送信ビームとの対応関係に基づいて、受信されたランダムアクセスチャネルに用いられた時間リソースに対応する送信ビームを決定する、請求項４９に記載の方法。
【請求項５３】
走査周期に、複数の受信ビームを利用してユーザー装置が送信したランダムアクセスプリアンブルを受信することと、
受信された複数のランダムアクセスプリアンブルから、条件を満足するランダムアクセスプリアンブルを決定することと、
決定されたランダムアクセスプリアンブルを受信した受信ビームを、基地局の利用可能受信ビームとして決定すること、を更に含む、請求項４８に記載の方法。
【発明の詳細な説明】
【技術分野】
【０００１】
本開示は上りランダムアクセス（ＲＡ）に関し、且つ、具体的には、ユーザー装置の上りランダムアクセス手順において実行できるビーム決定方法、並びに対応するユーザー装置及び基地局に関する。
【背景技術】
【０００２】
５Ｇの高周波数シーン、又はユーザー装置（ＵＥ）がデュアルコネクティビティ（Ｄｕａｌ  Ｃｏｎｎｅｃｔｉｖｉｔｙ）によって５Ｇの送受信ポイント（基地局）及びロングタームエボリューション（ＬＴＥ）基地局に接続されるシーンにおいて、ＵＥ及び基地局でビームフォーミング技術を利用すること、つまり、基地局及びＵＥがいずれも複数のビームを利用して信号を送受信してもよいことを提案する。基地局の各送信ビーム及びＵＥの各受信ビームが１つの下りリンクビーム対を形成し、且つ基地局の各受信ビーム及びＵＥの各送信ビームが１つの上りリンクビーム対を形成する。しかしながら、各下りリンクビーム対によって伝達される信号がいずれもＵＥで良好な受信品質を実現できることでもないし、各上りリンクビーム対によって伝達される信号がいずれも基地局で良好な受信品質を実現できることでもない。
【発明の概要】
【発明が解決しようとする課題】
【０００３】
従って、無線通信システムの性能を向上させるために、ＵＥの好適な送信ビーム及び好適な受信ビーム、並びに基地局の好適な送信ビーム及び好適な受信ビームを決定することで、ＵＥによる基地局へのランダムアクセス及び後続の通信で前記好適なビームを利用できるようにする必要がある。ところが、現在、ＵＥの好適な送信ビーム及び好適な受信ビーム、並びに基地局の好適な送信ビーム及び好適な受信ビームをどのように決定するかが提案されていない。
【課題を解決するための手段】
【０００４】
本開示の一実施例によれば、複数の送信ビーム及び複数の受信ビームを有する基地局と、複数の送信ビーム及び複数の受信ビームを有するユーザー装置とを備える通信システムにおいて、ユーザー装置により上りランダムアクセス手順において実行されるビーム決定方法であって、基地局が送信した下り同期信号に基づいて、ユーザー装置の前記複数の受信ビームのうちの利用可能受信ビーム及び基地局の前記複数の送信ビームのうちの利用可能送信ビームを決定することと、基地局の利用可能送信ビームを示す情報を、基地局に暗黙的に通知すること、を含む。
【０００５】
本開示の別の実施例によれば、複数の送信ビーム及び複数の受信ビームを有する基地局と、複数の送信ビーム及び複数の受信ビームを有するユーザー装置とを備える通信システムにおいて、基地局により上りランダムアクセス手順において実行されるビーム決定方法であって、ユーザー装置へ下り同期信号を送信することと、ユーザー装置から暗黙的に通知される、基地局の利用可能送信ビームを示す情報に基づいて、基地局の利用可能送信ビームを決定すること、を含む。
【０００６】
本開示の別の実施例によれば、複数の送信ビーム及び複数の受信ビームを有する基地局と、全方向性アンテナを有するユーザー装置とを備える通信システムにおいて、ユーザー装置により上りランダムアクセス手順において実行されるビーム決定方法であって、基地局が送信した下り同期信号に基づいて、基地局の前記複数のビームのうちの利用可能送信ビームを決定することと、基地局の利用可能送信ビームを示す情報を、基地局に暗黙的に通知すること、を含む。
【０００７】
本開示の別の実施例によれば、複数の送信ビーム及び複数の受信ビームを有する基地局と、全方向性アンテナを有するユーザー装置とを備える通信システムにおいて、基地局により上りランダムアクセス手順において実行されるビーム決定方法であって、ユーザー装置へ下り同期信号を送信することと、ユーザー装置から暗黙的に通知される、基地局の利用可能送信ビームを示す情報に基づいて、基地局の利用可能送信ビームを決定すること、を含む。
【０００８】
本開示の別の実施例によれば、複数の送信ビーム及び複数の受信ビームを有する基地局と、複数の送信ビーム及び複数の受信ビームを有するユーザー装置とを備える通信システムにおけるユーザー装置であって、基地局が送信した下り同期信号に基づいて、ユーザー装置の前記複数の受信ビームのうちの利用可能受信ビーム及び基地局の前記複数の送信ビームのうちの利用可能送信ビームを決定するように構成される決定部と、基地局の利用可能送信ビームを示す情報を、基地局に暗黙的に通知するように構成される通知部と、を含む。
【０００９】
本開示の別の実施例によれば、複数の送信ビーム及び複数の受信ビームを有する基地局と、複数の送信ビーム及び複数の受信ビームを有するユーザー装置とを備える通信システムにおける基地局であって、ユーザー装置へ下り同期信号を送信するように構成される送信部と、ユーザー装置から暗黙的に通知される、基地局の利用可能送信ビームを示す情報に基づいて、基地局の利用可能送信ビームを決定するように構成される決定部と、を含む。
【００１０】
本開示の別の実施例によれば、複数の送信ビーム及び複数の受信ビームを有する基地局と、全方向性アンテナを有するユーザー装置とを備える通信システムにおけるユーザー装置であって、基地局が送信した下り同期信号に基づいて、基地局の前記複数のビームのうちの利用可能送信ビームを決定するように構成される決定部と、基地局の利用可能送信ビームを示す情報を、基地局に暗黙的に通知するように構成される通知部と、を含む。
【００１１】
本開示の別の実施例によれば、複数の送信ビーム及び複数の受信ビームを有する基地局と、全方向性アンテナを有するユーザー装置とを備える通信システムにおける基地局であって、ユーザー装置へ下り同期信号を送信するように構成される送信部と、ユーザー装置から暗黙的に通知される、基地局の利用可能送信ビームを示す情報に基づいて、基地局の利用可能送信ビームを決定するように構成される決定部と、を含む。
【図面の簡単な説明】
【００１２】
図面を参照しながら本開示の実施例をより詳しく説明することによって、本開示の上記及び他の目的、特徴及び利点が更に明らかになる。図面は、本開示の実施例への更なる理解を提供し、明細書の一部を構成して、本開示の実施例とともに本開示を解釈するためのものであって、本開示を制限するためのものではない。図面において、同じ符号は一般的に同じ部品又はステップを示す。
【図１】図１は本開示の実施例に係る移動通信システムの模式図である。
【図２】図２はＵＥが実行する基地局との同期手順及び基地局に対するランダムアクセス（コンテンション・ベース）手順を模式的に示すフローチャートである。
【図３】図３は本開示の第１実施例に係るユーザー装置が上りランダムアクセス手順において実行するビーム決定方法である。
【図４】図４は基地局の下り同期信号の送信方法及びＵＥの下り同期信号の受信方法を示す模式図である。
【図５】図５はＵＥが基地局に基地局の利用可能送信ビームを暗黙的に通知する例を示す。
【図６】図６はＵＥが走査周期ごとに１つの送信ビームを利用して基地局の利用可能受信ビームへ該走査周期に関連するランダムアクセス（ＲＡ）プリアンブルを送信する例を示す。
【図７】図７はＵＥが１つの走査周期に２つの送信ビームを利用して異なる周波数リソースにおいて基地局の利用可能受信ビームへ同一のＲＡプリアンブルを送信する例を示す。
【図８】図８はＵＥが１つの走査周期に２つの送信ビームを同時に利用して同じ周波数リソースにおいて基地局の利用可能受信ビームへ２つの異なるＲＡプリアンブルを送信する例を示す。
【図９】図９は基地局から受信されたランダムアクセスチャネル（ＲＡＣＨ）構成において基地局が下り同期信号を送信する走査周期に対する、ＵＥがＲＡプリアンブルを送信する走査周期のオフセットを通知した例を示す。
【図１０】図１０は基地局から受信されたＲＡＣＨ構成において基地局が下り同期信号を送信する走査周期に対する、ＵＥがＲＡプリアンブルを送信する走査周期のオフセット、及びＵＥがＲＡプリアンブルを送信する走査周期の長さを通知した例を示す。
【図１１】図１１はＵＥが１つの走査周期に２つの送信ビームを利用して異なる周波数リソースにおいて基地局の利用可能受信ビームへ同一のＲＡプリアンブルを送信する例を示す。
【図１２】図１２はＵＥが１つの走査周期に２つの送信ビームを利用して同じ周波数リソースにおいて基地局の利用可能受信ビームへ異なるＲＡプリアンブルを送信する例を示す。
【図１３】図１３は本開示の第１実施例に係る基地局が上りランダムアクセス手順において実行するビーム決定方法のフローチャートである。
【図１４】図１４は本開示の第１実施例に係るＵＥのブロック図を示す。
【図１５】図１５は本開示の第１実施例に係る基地局のブロック図を示す。
【図１６】図１６は本開示の第２実施例に係るＵＥが上りランダムアクセス手順において実行するビーム決定方法のフローチャートである。
【図１７】図１７は本開示の第２実施例に係る基地局が上りランダムアクセス手順において実行するビーム決定方法のフローチャートである。
【図１８】図１８は本開示の第２実施例に係るＵＥのブロック図を示す。
【図１９】図１９は本開示の第２実施例に係る基地局のブロック図を示す。
【図２０】図２０は本開示の第３実施例に係る基地局がハイブリッドビームフォーミングをサポートする場合にＵＥがＲＡプリアンブルを送信する例を示す。
【発明を実施するための形態】
【００１３】
本開示の目的、技術的解決策及び利点をより明確にするために、以下に図面を参照しながら本開示の例示的な実施例を詳しく説明する。無論、説明される実施例は本開示の実施例の一部であり、本開示の実施例のすべてではなく、本開示はここで説明される例示的な実施例により制限されるものではないと理解すべきである。本開示に説明される本開示の実施例に基づき、当業者が創造的な活動を必要とせずに得られる他の実施例はいずれも本開示の保護範囲に属する。
【００１４】
まず、図１を参照しながら本開示の実施例に係る無線通信システムを説明する。図１に示すように、該無線通信システムは基地局１０及びユーザー装置（ＵＥ）２０を備えてもよい。ＵＥ２０は、基地局１０から送信される下り同期信号を受信することにより、基地局１０との同期を実現する。次に、ＵＥ２０は基地局１０へのランダムアクセスを行う。図１に１つの基地局及び１つのＵＥを示すが、それらは例示的なものに過ぎず、該無線通信システムは１つ又は複数の基地局及び１つ又は複数のＵＥを備えてもよいと理解すべきである。なお、基地局１０は送受信ポイント（ＴＲＰ）であってもよく、又は複数のＴＲＰを管理するものであってもよく、以下に用語「基地局」及び「ＴＲＰ」を交換して利用してもよい。
【００１５】
基地局１０は複数の指向性アンテナ、つまり複数の送信ビーム及び複数の受信ビームを有してもよく、それにより複数の受信ビームでＵＥから送信信号を受信してもよく、且つ複数の送信ビームでＵＥへ信号を送信してもよい。また、いくつかのシーンにおいて、ＵＥ２０は複数の指向性アンテナ、つまり複数の送信ビーム及び複数の受信ビームを有してもよく、それにより複数の受信ビームで基地局からの送信信号を受信してもよく、且つ複数の送信ビームで基地局へ信号を送信してもよい。他のシーンにおいて、ＵＥ２０は全方向性アンテナを有してもよく、それにより１つのみのビーム（全方向性ビーム）で信号を送受信する。また、基地局１０はコレスポンデンス（ビームコレスポンデンス、レシプロシティ）をサポートしてもよいし、コレスポンデンス（ビームコレスポンデンス、レシプロシティ）をサポートしなくてもよく、ＵＥ２０もコレスポンデンス（ビームコレスポンデンス、レシプロシティ）をサポートしてもよいし、コレスポンデンス（ビームコレスポンデンス、レシプロシティ）をサポートしなくてもよい。
【００１６】
以下、図２を参照しながらＵＥが実行する基地局との同期手順及び基地局へのランダムアクセス手順（コンテンション・ベースのランダムアクセス手順を例とする）を説明する。
【００１７】
図２に示すように、ステップＳ２０１では、基地局がＵＥへ下り同期信号、例えばプライマリ同期信号（ＰＳＳ）及び／又はセカンダリ同期信号（ＳＳＳ）を送信する。該下り同期信号に基づいて、ＵＥは基地局との同期を実現する。ステップＳ２０２では、ＵＥは物理ランダムアクセスチャネル（ＰＲＡＣＨ）によって基地局へランダムアクセスプリアンブル（ＲＡ  Ｐｒｅａｍｂｌｅ）を送信する。ステップＳ２０３では、該ランダムアクセスプリアンブルに応答して、基地局がＵＥへランダムアクセス応答（ＲＡＲ）を送信し、該ランダムアクセス応答にはタイミング調整情報、ＵＥに割り当てられた上りリンクリソースを示す情報、該ＵＥに一時的に割り当てられた無線ネットワーク一時識別子（ＲＮＴＩ）などが含まれる。ステップＳ２０４では、ＵＥは基地局から割り当てられたリソースを利用して基地局へＲＲＣ接続要求を送信する。ステップＳ２０５では、基地局がＵＥへコンテンション解決メッセージを送信することにより、ＵＥはランダムアクセスが成功したと判断する。次に、ＵＥは基地局との後続の通信手順を開始する。本開示の実施例では、ステップＳ２０１によって基地局の利用可能送信ビーム及び／又はＵＥの利用可能受信ビームを決定し、且つステップＳ２０２及びステップＳ２０３によって基地局の利用可能受信ビーム及び／又はＵＥの利用可能送信ビームを決定する。ここで、基地局の利用可能送信ビームとは本開示の実施例によって基地局の複数の送信ビームの中で決定された、ランダムアクセス手順（例えば、ステップＳ２０４及びＳ２０５）及びＵＥとの他の通信手順において利用しようとする好適な送信ビームであり、基地局の利用可能受信ビームとは本開示の実施例によって基地局の複数の受信ビームの中で決定された、ランダムアクセス手順（例えば、ステップＳ２０４及びＳ２０５）及びＵＥとの他の通信手順において利用しようとする好適な受信ビームであり、ＵＥの利用可能送信ビームとは本開示の実施例によってＵＥの複数の送信ビームの中で決定された、ランダムアクセス手順（例えば、ステップＳ２０４及びＳ２０５）及び基地局との他の通信手順において利用しようとする好適な送信ビームであり、ＵＥの利用可能受信ビームとは本開示の実施例によってＵＥの複数の受信ビームの中で決定された、ランダムアクセス手順（例えば、ステップＳ２０４及びＳ２０５）及び基地局との他の通信手順において利用しようとする好適な受信ビームである。
【００１８】
（第１実施例）
以下、本開示の第１実施例に係るビーム決定方法を説明する。第１実施例では、ＵＥ及び基地局がいずれも複数の指向性アンテナを有し、ＵＥが複数の送信ビーム及び複数の受信ビームを有し、基地局が複数の送信ビーム及び複数の受信ビームを有する。
【００１９】
図３に本開示の第１実施例に係るＵＥにより実行するビーム決定方法を示す。該方法によって、ＵＥは、該ＵＥの利用可能受信ビーム及び基地局の利用可能送信ビームを決定することができ、決定された基地局の利用可能送信ビームを基地局に暗黙的に通知する。また、ＵＥは更に基地局から送信される信号に基づいて該ＵＥの利用可能送信ビームを決定してもよい。
【００２０】
図３に示すように、ステップＳ３０１では、基地局から送信される下り同期信号に基づいて、ＵＥの利用可能受信ビーム及び基地局の利用可能送信ビームを決定する。
【００２１】
具体的には、基地局の複数の送信ビーム及びＵＥの複数の受信ビームから基地局の利用可能送信ビーム及びＵＥの利用可能受信ビームを決定するために、複数の走査周期を設定してもよく、各走査周期には複数の時間ユニット（シンボル）を含んでもよい。各走査周期内の時間ユニットの数は基地局の送信ビームの数と同じであってもよい。基地局は、走査周期内の各時間ユニットにおいて該時間ユニットに対応する１つの送信ビームを利用してＵＥへ下り同期信号を送信してもよい。つまり、送信ビームの走査を行い、それにより各走査周期内にそれぞれ基地局のすべての送信ビームを利用して下り同期信号を１回送信してもよい。一方、ＵＥは前記複数の走査周期ごとに、１つの受信ビームを利用して基地局が複数の送信ビームを利用して送信した下り同期信号を受信してもよい。図４は基地局の下り同期信号の送信方法及びＵＥの下り同期信号の受信方法の模式図を示す。
【００２２】
次に、ＵＥは、前記複数の走査周期内に受信した各下り同期信号から条件を満足する１つの下り同期信号を選択してもよい。前記条件は必要に応じて設定される任意の条件であってもよい。例えば、前記条件は受信品質が最も良いことであってもよく、このような場合、各下り同期信号の受信品質を比較して、受信品質が最も良い下り同期信号を選択してもよい。他の例では、前記条件は受信品質がある所定の閾値を超えることであってもよく、このような場合、各下り同期信号の受信品質を前記閾値と比較して、受信品質が前記閾値より大きないずれか１つの下り同期信号を選択してもよい。
【００２３】
次に、ＵＥは、選択された下り同期信号を受信した受信ビームを、該ＵＥの利用可能受信ビームとして決定し、かつ、該選択された下り同期信号を受信する時間ユニットに対応する基地局の送信ビームを、基地局の利用可能送信ビームとして決定してもよい。基地局の走査方式、すなわち基地局の各送信ビームと走査周期内の各時間ユニット（シンボル）との対応関係は、ＵＥ及び基地局に予め設定されてもよいし、基地局により設定されてＲＡＣＨ構成によってＵＥに通知してもよい。図４に示す例では、太線で描画されたＵＥの受信ビームがＵＥの利用可能受信ビームとして決定され、太線で描画された基地局の送信ビームが基地局の利用可能送信ビームとして決定される。
【００２４】
図３に戻って、ステップＳ３０２では、ＵＥは基地局の利用可能送信ビームを示す情報を、基地局に暗黙的に通知してもよい。
【００２５】
本開示の実施例では、基地局がコレスポンデンスをサポートするかどうかによって異なる方式で基地局に基地局が利用可能送信ビームを暗黙的に通知してもよい。具体的には、基地局が送信した、基地局のコレスポンデンスをサポートするかどうかを示す情報を含むＲＡＣＨ構成に基づいて、基地局がコレスポンデンスをサポートするかどうかを決定してもよい。例えば、ＲＡＣＨ構成に基地局がコレスポンデンスをサポートするかどうかを示す１ビットを設定し、且つ基地局が該ＲＡＣＨ構成をＵＥに送信し、それによりＵＥが該ビットの値に従って基地局がコレスポンデンスをサポートするかどうかを決定するようにしてもよい。例えば、該ビットの値が１である場合、基地局がコレスポンデンスをサポートすると決定してもよく、該ビットの値が０である場合、基地局がコレスポンデンスをサポートしないと決定してもよい。
【００２６】
基地局がコレスポンデンスをサポートする場合、基地局が該コレスポンデンスを利用して基地局の利用可能送信（受信）ビームから基地局の利用可能受信（送信）ビームを決定してもよいため、１つの走査周期内に、ＵＥは基地局の利用可能受信ビームへＲＡプリアンブルを１回送信すればよい。このような場合、ＵＥは基地局の利用可能送信ビームに対応する時間リソースにおいてＲＡプリアンブルを基地局に送信してもよい。具体的には、基地局及びＵＥにＵＥの送信できる各ＲＡプリアンブルの時間リソースと基地局の各送信ビームとの対応関係を予め設定してもよく、又は基地局に前記対応関係を設定して、該対応関係を示す情報を含むＲＡＣＨ構成をＵＥに送信してもよい。このように、ＵＥは前記対応関係に基づいて基地局の利用可能送信ビームに対応するＲＡプリアンブルの時間リソースを決定し、該時間リソースにおいてＲＡプリアンブルを基地局に送信してもよい。このように、ＵＥから送信されたＲＡプリアンブルを受信した場合、基地局は前記対応関係に基づいて該プリアンブルに利用された時間リソースに対応する送信ビームを基地局の利用可能送信ビームとして決定することができる。図５にはこのような場合にＵＥが基地局に基地局の利用可能送信ビームを暗黙的に通知する例を示す。図５に示すように、ＵＥにより決定したＵＥの利用可能送信ビームが図５に示す３番目の送信ビーム、すなわち送信ビーム３であり、送信ビーム３が走査周期内の３番目の時間ユニットに関連付けられていると仮定する場合、ＵＥは送信ビーム３に対応する時間リソース（走査周期の３番目の時間ユニット）においてＲＡプリアンブルを基地局に送信することができる。このように、基地局がＲＡプリアンブルを受信した場合、該ＲＡプリアンブルに対応する時間リソースに基づいて送信ビーム３が該基地局の利用可能送信ビームであると決定してもよい。
【００２７】
基地局がコレスポンデンスをサポートしない場合、ＵＥは基地局から送信された、基地局の各送信ビームと該送信ビームに関連するランダムアクセスプリアンブルとを含むランダムアクセスチャネル構成に基づいて、基地局の利用可能送信ビームに関連するランダムアクセスプリアンブルを決定し、基地局の利用可能送信ビームに関連するランダムアクセスプリアンブルを基地局に送信してもよい（例えば、基地局のいずれか１つの受信ビームに送信する）。具体的には、基地局及びＵＥに基地局の各送信ビームとＵＥが送信したランダムアクセスプリアンブルとの関連関係を予め設定してもよく、又は基地局に前記関連関係を設定し、該関連関係を示す情報を含むＲＡＣＨ構成（すなわち、基地局の各送信ビームと該送信ビームに関連するＲＡプリアンブルとを示すＲＡＣＨ構成）をＵＥに送信してもよい。このように、ＵＥが送信したＲＡプリアンブルを受信した場合、基地局は該ＲＡプリアンブルに関連する基地局の送信ビームを基地局の利用可能送信ビームとして決定してもよい。ここで、任意の適切な方式で基地局の送信ビームとＲＡプリアンブルとの関連関係を設定してもよい。例えば、ＲＡプリアンブルのインデックスに従ってＲＡプリアンブルを複数のグループに分け、且つ基地局の各送信ビームを１つのＲＡプリアンブルグループに対応させてもよい。下記表１にはＲＡプリアンブルのインデックスに従ってＲＡプリアンブルをグループ化する例を示し、該例では、基地局が８つの送信ビームを有し、且つ６４個の候補ＲＡプリアンブルが存在し、それらが８つのプリアンブルグループに分けられ、３ビットで各プリアンブルグループの番号を示す。
【表１】
2019537329.tif 000003
【００２８】
次に、下記表２に示すように、基地局の各送信ビームを対応するプリアンブルグループに関連付けてもよい。
【表２】
2019537329.tif 000004
【００２９】
このように、ＵＥは基地局の利用可能送信ビームが例えば送信ビーム２であると決定した場合、上記関連関係によって該送信ビームに関連するＲＡプリアンブルがプリアンブルグループ００１におけるプリアンブル８〜１５であると決定し、それによりプリアンブル８〜１５から１つを選択して基地局に送信してもよい。基地局側では、プリアンブル８〜１５のうちの１つを受信した場合、基地局は上記関連関係に基づいてＵＥから通知する送信ビームがプリアンブル８〜１５のうちの１つに対応する送信ビーム２であると決定し、それにより送信ビーム２を基地局の利用可能送信ビームとして決定してもよい。
【００３０】
上記ステップによって、ＵＥは基地局が送信した下り同期信号を利用してＵＥの利用可能受信ビーム及び基地局の利用可能送信ビームを決定し、異なる方式で基地局の利用可能送信ビームを基地局に通知することができ、それにより基地局が該基地局の利用可能送信ビームを把握する。
【００３１】
以上のように、ランダムアクセス及び他の通信手順を効果的に行うために、以下にＵＥの利用可能送信ビーム及び基地局の利用可能受信ビームも決定する。本開示の第１実施例では、ＵＥ及び基地局がコレスポンデンスをサポートするかどうか、及びＵＥが１つの走査周期内に利用できる送信ビームの数に応じて、この手順は異なる実現方式があってもよい。以上のように、ＵＥは基地局が送信した、基地局がコレスポンデンスをサポートするかどうかを示す情報を含むＲＡＣＨ構成に基づいて、基地局がコレスポンデンスをサポートするかどうかを決定してもよい。無論、ＵＥにおいて基地局がコレスポンデンスをサポートするかどうかを予め把握した場合、基地局からＲＡＣＨ構成によって基地局がコレスポンデンスをサポートするかどうかをＵＥに通知する必要がなく、ＵＥも上記決定を行う必要がない。
【００３２】
第１実現方式では、ＵＥがコレスポンデンスをサポートし、基地局もコレスポンデンスをサポートする。本実現方式では、ＵＥはコレスポンデンスを利用してステップＳ３０１で決定された該ＵＥの利用可能受信ビームに基づいて該ＵＥの利用可能送信ビームを決定してもよい。また、ステップＳ３０２に記載するように、ＵＥが基地局の利用可能送信ビームに対応する時間リソースにおいてＲＡプリアンブルを基地局に送信することにより、基地局が以上に記載の方式で基地局の利用可能送信ビームを決定するので、基地局はコレスポンデンスを利用して基地局の利用可能送信ビームに基づいて基地局の利用可能受信ビームを決定してもよい。
【００３３】
第２実現方式では、ＵＥがコレスポンデンスをサポートするが、基地局がコレスポンデンスをサポートせず、又は基地局がコレスポンデンスをサポートするが、コレスポンデンスを利用せず、つまり、基地局がコレスポンデンスをサポートすることをユーザー装置に通知しない。本実現方式では、ＵＥがコレスポンデンスを利用してステップＳ３０１で決定された該ＵＥの利用可能受信ビームに基づいて該ＵＥの利用可能送信ビームを決定することができる。次に、ＵＥは走査周期にＵＥの利用可能送信ビームを利用して基地局の複数の受信ビームへＲＡプリアンブルを送信してもよい。例えば、走査周期内の第１時間ユニットで、ＵＥが前記利用可能送信ビームを利用して基地局の第１受信ビームへＲＡプリアンブルを送信し、走査周期内の第２時間ユニットで、ＵＥが前記利用可能送信ビームを利用して基地局の第２受信ビームへＲＡプリアンブルを送信するなどであってもよい。このように、基地局は同じユーザー装置からの複数のＲＡプリアンブルを受信し、前記複数のＲＡプリアンブルから条件を満足するＲＡプリアンブルを決定し、決定されたＲＡプリアンブルを受信した受信ビームを、該ユーザー装置に対応する基地局の利用可能受信ビームとして決定してもよい。以上のように、前記条件は必要に応じて設定される任意の条件であってもよい。例えば、前記条件は受信品質が最もよいことであってもよいし、受信品質がある所定の閾値を超えることであってもよい。
【００３４】
第３実現方式では、ＵＥがコレスポンデンスをサポートせず、又はＵＥがコレスポンデンスをサポートするが、該コレスポンデンスを利用せず、基地局がコレスポンデンスをサポートし、且つ１つの走査周期に、ＵＥが１つの送信ビームを利用して基地局へＲＡプリアンブルを送信する。
【００３５】
本実現方式では、ＵＥはコレスポンデンスを利用してステップＳ３０１で決定された基地局の利用可能送信ビームに基づいて基地局の利用可能受信ビームを決定することができる。次に、ＵＥは複数の走査周期ごとに１つの送信ビームを利用して基地局の利用可能受信ビームへ該走査周期に関連するＲＡプリアンブルを送信してもよい。ここで、図６に示すように、異なる走査周期に利用した送信ビームが異なってもよい。無論、場合によっては、異なる走査周期に利用した送信ビームは一部が同じであるが、一部が異なってもよい。
【００３６】
具体的には、本実現方式の第１例では、基地局から受信されたＲＡＣＨ構成において、基地局が下り同期信号を送信する走査周期に対する、ＵＥがＲＡプリアンブルを送信する走査周期のオフセット（ｘ）を通知した場合、ＵＥは複数の走査周期ごとに１つの送信ビームを利用して基地局の利用可能受信ビームへ該走査周期に関連するＲＡプリアンブルを送信してもよい。ここで、異なる走査周期に関連する送信ビームが異なってもよく、且つ異なる走査周期に関連するＲＡプリアンブルが異なってもよい。
【００３７】
該第１例では、基地局側では、基地局はコレスポンデンスを利用してステップＳ３０２で通知した基地局の利用可能送信ビームに基づいて該基地局の利用可能受信ビームを決定することができる。次に、基地局は該利用可能受信ビームを利用して複数の走査周期ごとに利用可能受信ビームを利用してＵＥから送信した該走査周期に関連するＲＡプリアンブルを受信してもよい。次に、基地局は各走査周期に受信した複数のランダムアクセスプリアンブルから該ＵＥに対する条件を満足するＲＡプリアンブルを決定してもよい。以上のように、前記条件は必要に応じて設定される任意の条件であってもよい。例えば、前記条件は受信品質が最も良いことであってもよいし、受信品質がある所定の閾値を超えることであってもよい。基地局により決定されたＲＡプリアンブルはＵＥの利用可能送信ビームに対応する。
【００３８】
本実現方式の第２例では、基地局から受信されたＲＡＣＨ構成において、基地局が下り同期信号を送信する走査周期に対する、ＵＥがＲＡプリアンブルを送信する走査周期のオフセット（ｘ）及びＵＥがＲＡプリアンブルを送信する走査周期の長さ（ｙ）を通知した場合、ＵＥは複数の走査周期ごとに１つの送信ビームを利用して基地局の複数の受信ビームへＲＡプリアンブルを送信してもよい。ここで、異なる走査周期に利用した送信ビームが異なってもよいが、異なる走査周期に送信したＲＡプリアンブルが同じである必要がある。
【００３９】
該第２例では、基地局側では、基地局はコレスポンデンスを利用してステップＳ３０２で通知した基地局の利用可能送信ビームに基づいて該基地局の利用可能受信ビームを決定することができる。次に、基地局は該利用可能受信ビームを利用して複数の走査周期ごとに利用可能受信ビームを利用してＵＥから送信した該走査周期に関連するＲＡプリアンブルを受信してもよい。次に、基地局は各走査周期に受信したランダムアクセスプリアンブルから該ＵＥに対する条件を満足するＲＡプリアンブルを決定してもよい。基地局により決定されたＲＡプリアンブルはＵＥの利用可能送信ビームに対応する。
【００４０】
次に、基地局はＵＥの利用可能送信ビームをＵＥに暗黙的に通知してもよい。
【００４１】
基地局がＵＥへＵＥの利用可能送信ビームを通知する第１例として、基地局は決定されたＲＡプリアンブルの時間リソース及び周波数リソースに基づいて該ＲＡプリアンブルに対応する無線ネットワーク一時識別子（ＲＮＴＩ）を計算し、決定されたＲＡプリアンブルに応答して該基地局の利用可能送信ビームを利用してＲＡ応答（ＲＡＲ）をＵＥに送信してもよく、該ＲＡＲは決定されたＲＮＴＩによりスクランブルされる。例えば、基地局は決定されたＲＡプリアンブルに対応するＲＮＴＩを下記式で計算してもよい。
ＲＮＴＩ＝ｆ（ｔ＿ｉｄ，ｆ＿ｉｄ）  （１）
ここで、ｔ＿ｉｄは決定されたＲＡプリアンブルの時間リソースのインデックスであり、ｆ＿ｉｄは決定されたＲＡプリアンブルの周波数リソースのインデックスである。例えば、ＬＴＥシステムでは、以下のようである。
ＲＮＴＩ＝ｆ（ｔ＿ｉｄ，ｆ＿ｉｄ）＝１＋ｔ＿ｉｄ＋１０＊ｆ＿ｉｄ  （２）
【００４２】
本開示の実施例では、ＬＴＥシステムにおける上記式（１）又は（２）を利用して決定されたＲＡプリアンブルに対応するＲＮＴＩを計算してもよい。次に、基地局は決定されたＲＡプリアンブルに基づいて計算したＲＮＴＩを利用して、該ＲＡプリアンブルに応答して送信される前記ＲＡＲをスクランブルしてもよい。
【００４３】
それに対応して、ＵＥ側では、ＵＥは予め送信された各ＲＡプリアンブルの時間リソース及び周波数リソースに基づいて、上記式に従って各ＲＡプリアンブルのＲＮＴＩを計算してもよい。ＵＥは基地局が送信したＲＡＲを受信し、それぞれ各ＲＡプリアンブルのＲＮＴＩを利用して受信されたＲＡＲの制御チャネルについてデスクランブルを試すことで、前記ＲＡＲの制御チャネルのデスクランブルに成功したＲＮＴＩを決定してもよい。次に、ＵＥは決定されたＲＮＴＩに対応するＲＡプリアンブルを送信した送信ビームを、該ＵＥの利用可能送信ビームとして決定してもよい。
【００４４】
基地局がＵＥにＵＥの利用可能送信ビームを通知する第２例として、基地局はＲＡＲの物理リソースとＲＡプリアンブルの物理リソースとの所定の関連関係に基づいて、決定されたＲＡプリアンブルの物理リソースに対応するＲＡの対応する物理リソースを利用して、該基地局の利用可能送信ビームによって、決定されたＲＡプリアンブルに応答して送信するＲＡＲをＵＥに送信してもよい。ここで、前記物理リソースは時間リソースであってもよい。例えば、ＵＥ及び基地局に各ＲＡプリアンブルの時間リソースと該ＲＡプリアンブルに応答して送信するＲＡＲの時間リソースとの関連関係、例えば各ＲＡプリアンブルの時間リソースと該ＲＡプリアンブルに応答して送信するＲＡＲの時間リソースとのオフセットを予め設定してもよく、又は基地局に前記関連関係を設定し、該関連関係を示す情報を含むＲＡＣＨ構成をＵＥに送信してもよい。それに対応して、ＵＥ側では、ＵＥは基地局が該基地局の利用可能送信ビームを利用して送信したＲＡＲを受信し、ＲＡＲの物理リソースとＲＡプリアンブルの物理リソースとの所定の関連関係に基づいて、受信されたＲＡＲの物理リソースに関連する物理リソースを利用して送信したＲＡプリアンブルを決定し、決定されたＲＡプリアンブルを送信した送信ビームを、該ＵＥの利用可能送信ビームとして決定してもよい。例えば、各ＲＡプリアンブルの時間リソースと該ＲＡプリアンブルに応答して送信するＲＡＲの時間リソースとのオフセットを前記関連関係として設定した場合、ＵＥは該ＲＡＲの送信時間から前記オフセットを引くことにより、該ＲＡＲに対応するＲＡプリアンブルの送信時間を決定し、更に該送信時間にＲＡプリアンブルを送信した送信ビームを、ＵＥの利用可能送信ビームとして決定してもよい。
【００４５】
第４実現方式では、ＵＥがコレスポンデンスをサポートせず、又はＵＥがコレスポンデンスをサポートするが、該コレスポンデンスを利用せず、基地局がコレスポンデンスをサポートし、且つ１つの走査周期に、ＵＥが同時に複数の送信ビームを利用して異なる物理リソースにおいて基地局へＲＡプリアンブルを送信してもよい。
【００４６】
本実現方式では、ＵＥはコレスポンデンスを利用してステップＳ３０１で決定された基地局の利用可能送信ビームに基づいて基地局の利用可能受信ビームを決定することができる。次に、ＵＥは複数の走査周期ごとに該走査周期に関連する複数の送信ビームを利用して異なる物理リソースにおいて基地局の利用可能受信ビームへ該走査周期に関連するＲＡプリアンブルを送信してもよい。ここで、前記複数の送信ビームが同一の走査周期内に送信するＲＡプリアンブルは同じである。図７には第４実現方式における１つの走査周期にＵＥが２つの送信ビームを利用して異なる周波数リソースにおいて基地局の利用可能受信ビームへ同一のＲＡプリアンブルを送信する例を示す。
【００４７】
具体的には、ＵＥは複数の走査周期ごとに該走査周期に関連する複数の送信ビームを利用して異なる物理リソースにおいて基地局の利用可能受信ビームへ該走査周期に関連するＲＡプリアンブルを送信してもよい。ここで、異なる走査周期に関連する送信ビームが互いに異なり、異なる走査周期に関連するＲＡプリアンブルが同じである。例えば、第１走査周期に、ＵＥが第１送信ビーム及び第２送信ビームを利用して基地局の利用可能受信ビームへＲＡプリアンブルを送信し、第２走査周期に、ＵＥが第３送信ビーム及び第４送信ビームを利用して基地局の利用可能受信ビームへ前記ＲＡプリアンブルを送信する等である。
【００４８】
上記例では、ＵＥの各送信ビームに関連付けて該送信ビームを利用して送信したＲＡプリアンブルの物理リソースを決定してもよい。例えば、前記物理リソースは周波数リソースであってもよく、このような場合、例えばＵＥの各送信ビームに一意的なＩＤを割り当て、ＵＥの送信ビームのＩＤ及び各送信ビームに対応する周波数リソースの周波数オフセットの関数として、該送信ビームを利用して送信したＲＡプリアンブルの周波数リソースを決定してもよい。例えば、ＵＥの各送信ビームに関連付けて、該送信ビームを利用して送信するＲＡプリアンブルの物理リソースを予め決定し、それをＵＥ及び基地局に設定してもよいし、基地局によりＵＥの各送信ビームに関連付けて該送信ビームを利用して送信したＲＡプリアンブルの物理リソースを決定し、該物理リソースを示す情報を含むＲＡＣＨプリアンブルをＵＥに送信してもよい。このように、異なる送信ビームを利用して送信したＲＡプリアンブルの物理リソースを異ならせてもよい。
【００４９】
基地局側では、基地局はコレスポンデンスを利用してステップＳ３０２で通知した基地局の利用可能送信ビームに基づいて該基地局の利用可能受信ビームを決定することができる。次に、基地局は該利用可能受信ビームを利用して各走査周期にＵＥから送信した複数のＲＡプリアンブルを受信し、前記複数の走査周期に受信した各ＲＡプリアンブルから条件を満足するＲＡプリアンブルを選択してもよい。以上のように、前記条件は必要に応じて設定される任意の条件であってもよい。例えば、前記条件は受信品質が最も良いことであってもよいし、受信品質がある所定の閾値を超えることであってもよい。選択されたＲＡプリアンブルはＵＥの利用可能送信ビームに対応する。
【００５０】
次に、基地局はＵＥの利用可能送信ビームをＵＥに暗黙的に通知してもよい。具体的には、基地局は決定されたＲＡプリアンブルの時間リソース及び周波数リソースに基づいて該ＲＡプリアンブルに対応する無線ネットワーク一時識別子（ＲＮＴＩ）を計算し、決定されたＲＡプリアンブルに応答して該基地局の利用可能送信ビームを利用してＲＡ応答（ＲＡＲ）をＵＥに送信してもよく、該ＲＡＲは決定されたＲＮＴＩによりスクランブルされる。例えば、基地局は上記式（１）又は（２）を利用して、決定されたＲＡプリアンブルに対応するＲＮＴＩを計算してもよく、それから、決定されたＲＡプリアンブルに基づいて計算したＲＮＴＩを利用して、該ＲＡプリアンブルに応答して送信する前記ＲＡＲをスクランブルしてもよい。
【００５１】
それに対応して、ＵＥ側では、ＵＥは先に送信された各ＲＡプリアンブルの時間リソース及び周波数リソースに基づいて上記式に従って各ＲＡプリアンブルのＲＮＴＩを計算してもよい。ＵＥは基地局が送信したＲＡＲを受信し、それぞれ各ＲＡプリアンブルのＲＮＴＩを利用して、受信されたＲＡＲの制御チャネルについてデスクランブルを試すことで、前記ＲＡＲの制御チャネルのデスクランブルに成功したＲＮＴＩを決定してもよい。次に、ＵＥは決定されたＲＮＴＩに対応するＲＡプリアンブルを送信した送信ビームを、該ＵＥの利用可能送信ビームとして決定してもよい。
【００５２】
第５実現方式では、ＵＥがコレスポンデンスをサポートせず、又はＵＥがコレスポンデンスをサポートするが、該コレスポンデンスを利用せず、基地局がコレスポンデンスをサポートし、且つ１つの走査周期に、ＵＥが同時に複数の送信ビームを利用して同じ物理リソースにおいて基地局へ異なるＲＡプリアンブルを送信してもよい。
【００５３】
本実現方式では、ＵＥはコレスポンデンスを利用してステップＳ３０１で決定された基地局の利用可能送信ビームに基づいて基地局の利用可能受信ビームを決定することができる。次に、ＵＥは複数の走査周期ごとに該走査周期に関連する複数の送信ビームを利用して同じ物理リソースにおいて基地局の利用可能受信ビームへ異なるＲＡプリアンブルを送信してもよい。例えば、第１走査周期に、ＵＥが第１送信ビーム及び第２送信ビームを利用して同じ物理リソースにおいて基地局の利用可能受信ビームへ第１ＲＡプリアンブル及び第２プリアンブルを送信してもよく、第２走査周期に、ＵＥが第３送信ビーム及び第４送信ビームを利用して同じ物理リソースにおいて基地局の利用可能受信ビームへ第３ＲＡプリアンブル及び第４プリアンブルを送信してもよい。図８には第５実現方式における１つの走査周期にＵＥが２つの送信ビームを同時に利用して同じ周波数リソースにおいて基地局の利用可能受信ビームへ２つの異なるＲＡプリアンブルを送信する例を示す。
【００５４】
基地局側では、基地局はコレスポンデンスを利用してステップＳ３０２で通知した基地局の利用可能送信ビームに基づいて該基地局の利用可能受信ビームを決定することができる。次に、基地局は該利用可能受信ビームを利用して各走査周期にＵＥが送信した複数のＲＡプリアンブルを受信し、各ＲＡプリアンブルに応答してＲＡＲを送信してもよく、各ＲＡＲは該ＲＡプリアンブルに対応するＲＮＴＩによりスクランブルされる。
【００５５】
ＵＥ側では、ＵＥは基地局が該基地局の利用可能送信ビームを利用して送信した複数のＲＡＲを受信し、送信された各ＲＡプリアンブルに対応するＲＮＴＩをそれぞれ利用して前記複数のＲＡＲのうちの少なくとも１つをデスクランブルすることにより、前記少なくとも１つのＲＡＲのデスクランブルに成功したＲＮＴＩを決定してもよく、それから、ＵＥは決定されたＲＮＴＩのうちの１つに対応するＲＡプリアンブルを送信した送信ビームを、該ＵＥの利用可能送信ビームとして決定してもよい。例えば、ＵＥは送信された各ＲＡプリアンブルに対応するＲＮＴＩをそれぞれ利用して前記複数のＲＡＲのすべてをデスクランブルすることにより、前記複数のＲＡＲのデスクランブルに成功したＲＮＴＩを決定してもよく、それから、ＵＥは決定されたＲＮＴＩから１つのＲＮＴＩを選択し、決定されたＲＮＴＩのうちの１つに対応するＲＡプリアンブルを送信した送信ビームを、該ＵＥの利用可能送信ビームとして決定してもよい。あるいは、ＵＥは送信された各ＲＡプリアンブルに対応するＲＮＴＩをそれぞれ利用して前記複数のＲＡＲを１つずつデスクランブルすることにより、１番目にデスクランブルに成功したＲＮＴＩを決定し、決定されたＲＮＴＩに対応するＲＡプリアンブルを送信した送信ビームを、該ＵＥの利用可能送信ビームとして決定してもよい。
【００５６】
第６実現方式では、ＵＥ及び基地局がいずれもコレスポンデンスをサポートせず、又はＵＥ及び基地局がコレスポンデンスをサポートするが、いずれも該コレスポンデンスを利用せず、且つ１つの走査周期に、ＵＥが１つの送信ビームを利用して基地局へＲＡプリアンブルを送信してもよい。
【００５７】
本実現方式では、ＵＥは複数の走査周期ごとに該走査周期に関連する１つの送信ビームを利用して基地局の複数の受信ビームへ該走査周期に関連するＲＡプリアンブルを送信してもよい。
【００５８】
具体的には、本実現方式の第１例では、基地局から受信されたＲＡＣＨ構成において、基地局が下り同期信号を送信する走査周期に対する、ＵＥがＲＡプリアンブルを送信する走査周期のオフセット（ｘ）を通知した場合、ＵＥは複数の走査周期ごとに該走査周期に関連する１つの送信ビームを利用して基地局の複数の受信ビームへ該走査周期に関連するＲＡプリアンブルを送信してもよい。ここで、異なる走査周期に関連する送信ビームは異なり、且つ異なる走査周期に関連するＲＡプリアンブルは異なる。図９に該例を模式的に示す。
【００５９】
該第１例では、基地局側では、基地局は複数の走査周期ごとに複数の受信ビームを利用してＵＥが送信した該走査周期に関連するＲＡプリアンブルを受信してもよい。次に、基地局は各走査周期に受信した複数のランダムアクセスプリアンブルから条件を満足するＲＡプリアンブルを決定してもよい。以上のように、前記条件は必要に応じて設定される任意の条件であってもよい。例えば、前記条件は受信品質が最も良いことであってもよいし、受信品質がある所定の閾値を超えることであってもよい。基地局により決定されたＲＡプリアンブルはＵＥの利用可能送信ビームに対応する。
【００６０】
本実現方式の第２例では、基地局から受信されたＲＡＣＨ構成において、基地局が下り同期信号を送信する走査周期に対する、ＵＥがＲＡプリアンブルを送信する走査周期のオフセット（ｘ）及びＵＥがＲＡプリアンブルを送信する走査周期の長さ（ｙ）を通知した場合、ＵＥは複数の走査周期ごとに該走査周期に関連する１つの送信ビームを利用して基地局の複数の受信ビームへ該走査周期に関連するＲＡプリアンブルを送信してもよい。ここで、異なる走査周期に関連する送信ビームは異なり、且つ異なる走査周期に関連するＲＡプリアンブルは同じである。図１０に該例を模式的に示す。
【００６１】
該第２例では、基地局側では、基地局は複数の走査周期ごとに複数の受信ビームを利用してＵＥが送信した該走査周期に関連するＲＡプリアンブルを受信してもよい。次に、基地局は各走査周期に受信した複数のランダムアクセスプリアンブルから該ＵＥに対する条件を満足するＲＡプリアンブルを決定してもよい。基地局により決定されたＲＡプリアンブルはＵＥの利用可能送信ビームに対応する。
【００６２】
次に、基地局はＵＥの利用可能送信ビームをＵＥに暗黙的に通知してもよい。
【００６３】
基地局がＵＥにＵＥの利用可能送信ビームを通知する第１例として、基地局は各走査周期に対して決定したＲＡプリアンブルに応答して基地局の利用可能送信ビームを利用してＲＡＲを送信してもよく、該ＲＡＲは対応するＲＡプリアンブルに対応するＲＮＴＩによりスクランブルされる。基地局は以上に記載の方式で決定されたＲＡプリアンブルに対応するＲＮＴＩを計算し、該ＲＮＴＩを利用して決定されたＲＡプリアンブルに応答して送信するＲＡＲをスクランブルしてもよく、ここでは詳細な説明は省略する。ここで、ＵＥが異なる走査周期内に送信したＲＡプリアンブルが互いに異なるため、基地局は各走査周期内に受信したＲＡプリアンブルに対して１つのＲＡＲを送信する。
【００６４】
それに対応して、ＵＥ側では、ＵＥは基地局が該基地局の利用可能送信ビームを利用して送信した複数のＲＡＲを受信し、各走査周期に送信したＲＡプリアンブルに対応するＲＮＴＩをそれぞれ利用して前記複数のＲＡＲのうちの少なくとも１つのＲＡＲをデスクランブルすることにより、前記少なくとも１つのＲＡＲのデスクランブルに成功した無線ネットワーク一時識別子を決定し、それから、決定された無線ネットワーク一時識別子のうちの１つに対応するＲＡプリアンブルの送信ビームをユーザー装置の利用可能送信ビームとして決定してもよい。例えば、ＵＥは送信された各ＲＡプリアンブルに対応するＲＮＴＩをそれぞれ利用して前記複数のＲＡＲのすべてをデスクランブルすることにより、前記複数のＲＡＲのデスクランブルに成功したＲＮＴＩを決定してもよく、それから、ＵＥは決定されたＲＮＴＩから１つのＲＮＴＩを選択し、決定されたＲＮＴＩのうちの１つに対応するＲＡプリアンブルを送信した送信ビームを、該ＵＥの利用可能送信ビームとして決定してもよい。あるいは、ＵＥは送信された各ＲＡプリアンブルに対応するＲＮＴＩをそれぞれ利用して前記複数のＲＡＲを１つずつデスクランブルすることにより、１番目にデスクランブルに成功したＲＮＴＩを決定し、決定されたＲＮＴＩに対応するＲＡプリアンブルを送信した送信ビームを、該ＵＥの利用可能送信ビームとして決定してもよい。
【００６５】
基地局がＵＥにＵＥの利用可能送信ビームを通知する第２例として、基地局はＲＡＲの物理リソースとＲＡプリアンブルの物理リソースとの所定の関連関係に基づいて、決定されたＲＡプリアンブルの物理リソースに対応するＲＡの対応する物理リソースを利用し、該基地局の利用可能送信ビームによって、決定されたＲＡプリアンブルに応答して送信したＲＡＲをＵＥに送信してもよい。ここで、前記物理リソースは時間リソースであってもよい。例えば、ＵＥ及び基地局に各ＲＡプリアンブルの時間リソースと該ＲＡプリアンブルに応答して送信するＲＡＲの時間リソースとの関連関係、例えば各ＲＡプリアンブルの時間リソースと該ＲＡプリアンブルに応答して送信するＲＡＲの時間リソースとのオフセットを予め設定してもよく、又は基地局に前記関連関係を設定して、該関連関係を示す情報を含むＲＡＣＨ構成をＵＥに送信してもよい。
【００６６】
それに対応して、ＵＥ側では、ＵＥは基地局が該基地局の利用可能送信ビームを利用して送信した複数のＲＡＲを受信し、ＲＡＲの物理リソースとＲＡプリアンブルの物理リソースとの所定の関連関係に基づいて、受信された複数のＲＡＲのうちの少なくとも１つに対応するＲＡプリアンブルを決定することにより、決定されたＲＡプリアンブルのうちの１つを送信した送信ビームを、該ＵＥの利用可能送信ビームとして決定してもよい。例えば、ＵＥは受信された複数のＲＡＲにそれぞれ対応するＲＡプリアンブルを決定し、決定されたＲＡプリアンブルからいずれか１つのＲＡプリアンブルを選択して、決定されたＲＡプリアンブルを送信した送信ビームを、該ＵＥの利用可能送信ビームとして決定してもよい。あるいは、ＵＥは前記複数のＲＡＲのうちの１つを選択し、選択されたＲＡＲに対応するＲＡプリアンブルを決定することにより、決定されたＲＡプリアンブルを送信した送信ビームを、該ＵＥの利用可能送信ビームとして決定してもよい。
【００６７】
第７実現方式では、ＵＥ及び基地局がいずれもコレスポンデンスをサポートせず、又はＵＥ及び基地局がコレスポンデンスをサポートするが、いずれも該コレスポンデンスを利用せず、且つ１つの走査周期に、ＵＥが複数の送信ビームを利用して異なる周波数リソースにおいて基地局へ同じＲＡプリアンブルを送信してもよい。
【００６８】
本実現方式では、ＵＥは複数の走査周期ごとに該走査周期に関連する複数の送信ビームを利用して異なる物理リソースにおいて基地局の複数の受信ビームへＲＡプリアンブルを送信してもよい。図１１には第７実現方式に係る１つの走査周期にＵＥが２つの送信ビームを利用して異なる周波数リソースにおいて基地局の利用可能受信ビームへ同一のＲＡプリアンブルを送信する例を示す。
【００６９】
基地局側では、基地局は複数の受信ビームを利用して各走査周期にＵＥが送信した複数のＲＡプリアンブルを受信し、前記複数の走査周期に受信した各ＲＡプリアンブルから条件を満足するＲＡプリアンブルを選択してもよい。以上のように、前記条件は必要に応じて設定される任意の条件であってもよい。例えば、前記条件は受信品質が最も良いことであってもよいし、受信品質がある所定の閾値を超えることであってもよい。次に、基地局はＵＥの利用可能送信ビームをＵＥに暗黙的に通知してもよい。具体的には、基地局は決定されたＲＡプリアンブルの時間リソース及び周波数リソースに基づいて該ＲＡプリアンブルに対応する無線ネットワーク一時識別子（ＲＮＴＩ）を計算し、決定されたＲＡプリアンブルに応答して該基地局の利用可能送信ビームを利用してＲＡ応答（ＲＡＲ）をＵＥに送信してもよく、該ＲＡＲは決定されたＲＮＴＩによりスクランブルされる。例えば、基地局は決定されたＲＡプリアンブルに対応するＲＮＴＩを上記式（１）又は式（２）を利用して計算してもよく、それから、決定されたＲＡプリアンブルに基づいて計算したＲＮＴＩを利用して該ＲＡプリアンブルに応答して送信する前記ＲＡＲをスクランブルしてもよい。
【００７０】
それに対応して、ＵＥ側では、ＵＥは先に送信された各ＲＡプリアンブルの時間リソース及び周波数リソースに基づいて上記式に基づいて各ＲＡプリアンブルのＲＮＴＩを計算してもよい。ＵＥは基地局が送信した少なくとも１つのＲＡＲを受信し、各ＲＡプリアンブルのＲＮＴＩをそれぞれ利用して、受信された少なくとも１つのＲＡＲをデスクランブルすることにより、前記少なくとも１つのＲＡＲのうちの少なくとも１つのデスクランブルに成功したＲＮＴＩを決定してもよい。次に、ＵＥは決定されたＲＮＴＩのうちの１つに対応するＲＡプリアンブルを送信した送信ビームを、該ＵＥの利用可能送信ビームとして決定してもよい。
【００７１】
第８実現方式では、ＵＥ及び基地局がいずれもコレスポンデンスをサポートせず、又はＵＥ及び基地局がコレスポンデンスをサポートするが、いずれも該コレスポンデンスを利用せず、且つ１つの走査周期に、ＵＥが複数の送信ビームを利用して同じ周波数リソースにおいて基地局へ異なるＲＡプリアンブルを送信してもよい。
【００７２】
本実現方式では、ＵＥは複数の走査周期ごとに該走査周期に関連する複数の送信ビームを利用して同じ物理リソースにおいて基地局の複数の受信ビームへ異なるＲＡプリアンブルを送信してもよい。図１２には第８実現方式に係る１つの走査周期にＵＥが同時に２つの送信ビームを利用して同じ周波数リソースにおいて基地局の利用可能受信ビームへ２つの異なるＲＡプリアンブルを送信する例を示す。
【００７３】
基地局側では、基地局は複数の受信ビームを利用して各走査周期にＵＥが送信した複数のＲＡプリアンブルを受信し、各ＲＡプリアンブルに応答してＲＡＲを送信してもよく、各ＲＡＲは該ＲＡプリアンブルに対応するＲＮＴＩによりスクランブルされる。
【００７４】
ＵＥ側では、ＵＥは基地局が該基地局の利用可能送信ビームを利用して送信した複数のＲＡＲを受信し、送信された各ＲＡプリアンブルに対応するＲＮＴＩをそれぞれ利用して前記複数のＲＡＲのうちの少なくとも１つをデスクランブルすることにより、前記少なくとも１つのＲＡＲのデスクランブルに成功したＲＮＴＩを決定してもよく、それから、ＵＥは決定されたＲＮＴＩのうちの１つに対応するＲＡプリアンブルを送信した送信ビームを、該ＵＥの利用可能送信ビームとして決定してもよい。例えば、ＵＥは送信された各ＲＡプリアンブルに対応するＲＮＴＩをそれぞれ利用して前記複数のＲＡＲのすべてをデスクランブルすることにより、前記複数のＲＡＲのデスクランブルに成功したＲＮＴＩを決定してもよく、それから、ＵＥは決定されたＲＮＴＩから１つのＲＮＴＩを選択して、決定されたＲＮＴＩのうちの１つに対応するＲＡプリアンブルを送信した送信ビームを、該ＵＥの利用可能送信ビームとして決定してもよい。あるいは、ＵＥは送信された各ＲＡプリアンブルに対応するＲＮＴＩをそれぞれ利用して前記複数のＲＡＲを１つずつデスクランブルすることにより、１番目にデスクランブルに成功したＲＮＴＩを決定し、決定されたＲＮＴＩに対応するＲＡプリアンブルを送信した送信ビームを、該ＵＥの利用可能送信ビームとして決定してもよい。
【００７５】
上記方法によって、ＵＥの利用可能送信ビーム及び利用可能受信ビームを決定することができる。また、基地局の利用可能送信ビームを決定して、それを基地局に暗黙的に通知することができる。
【００７６】
以下、本開示の第１実施例に係る基地局により実行するビーム決定方法を説明する。該方法の大部分の操作は以上でＵＥにより実行するビーム決定方法を説明する際に説明されたため、重複を避けるため、同じ内容についての説明は省略する。
【００７７】
図１３には本開示の第１実施例に係る基地局により実行するビーム決定方法を示す。該方法によって、基地局は該基地局の利用可能受信ビーム及びＵＥの利用可能送信ビームを決定し、決定されたＵＥの利用可能送信ビームをＵＥに暗黙的に通知することができる。また、基地局はＵＥが送信した信号に基づいて該基地局の利用可能送信ビームを決定することもできる。
【００７８】
図１３に示すように、ステップＳ１３０１では、基地局はＵＥへ下り同期信号を送信してもよい。例えば、基地局は複数の走査周期ごとに複数の送信ビームを利用してＵＥへ複数の下り同期信号を送信してもよく、各送信ビームが走査周期内の１つの時間ユニットに対応する。ここで、基地局は以上に図３におけるステップＳ３０１を参照して説明した方式でステップＳ１３０１を実行してもよく、ここでは詳細な説明を省略する。
【００７９】
ステップＳ１３０２では、基地局はＵＥから暗黙的に通知される、基地局の利用可能送信ビームを示す情報に基づいて基地局の利用可能送信ビームを決定してもよい。
【００８０】
基地局がコレスポンデンスをサポートする場合、以上のように、ＵＥは基地局の利用可能送信ビームに対応する時間リソースにおいてＲＡプリアンブルを基地局に送信してもよい。具体的には、基地局及びＵＥにＵＥが送信できる各ＲＡプリアンブルの時間リソースと基地局の各送信ビームとの対応関係を予め設定してもよく、又は基地局に前記対応関係を設定して、基地局によって該対応関係を示す情報を含むＲＡＣＨ構成をＵＥに送信してもよい。このように、ＵＥは前記対応関係に基づいて基地局の利用可能送信ビームに対応するＲＡプリアンブルの時間リソースを決定し、該時間リソースにおいてＲＡプリアンブルを基地局に送信してもよい。それに対応して、基地局は走査周期にＵＥが送信したＲＡプリアンブルを受信し、基地局の複数の送信ビームのうち受信されたＲＡチャネルに用いた時間リソースに対応する送信ビームを、基地局の利用可能送信ビームとして決定してもよい。
【００８１】
基地局がコレスポンデンスをサポートしない場合、以上のように、ＵＥは基地局が送信した、基地局の各送信ビームと該送信ビームに関連するランダムアクセスプリアンブルとを含むランダムアクセスチャネル構成に基づいて、基地局の利用可能送信ビームに関連するランダムアクセスプリアンブルを決定し、基地局の利用可能送信ビームに関連するランダムアクセスプリアンブルを基地局に送信してもよい。以上のように、基地局及びＵＥに基地局の各送信ビームとＵＥが送信するランダムアクセスプリアンブルとの関連関係を予め設定してもよく、又は基地局に前記関連関係を設定して、該関連関係を示す情報を含むＲＡＣＨ構成（すなわち、基地局の各送信ビームと該送信ビームに関連するＲＡプリアンブルとを示すＲＡＣＨ構成）をＵＥに送信してもよい。それに対応して、基地局はＵＥが送信したＲＡプリアンブルを受信し、受信されたＲＡプリアンブルに関連する送信ビームを基地局の利用可能送信ビームとして決定してもよい。
【００８２】
このように、基地局はＵＥの暗黙的な通知に基づいて該基地局の利用可能送信ビームを決定することができる。また、下り同期信号を送信することにより、ＵＥがその利用可能受信ビームを決定することができる。
【００８３】
以上のように、ランダムアクセス及び他の通信プロセスを効果的に行うために、その後更にＵＥの利用可能送信ビーム及び基地局の利用可能受信ビームを決定する。同様に、本開示の第１実施例では、ＵＥ及び基地局がコレスポンデンスをサポートするかどうか、及びＵＥが１つの走査周期内に利用できる送信ビームの数に応じて、この手順は異なる実現方式があってもよい。
【００８４】
第１実現方式では、ＵＥ及び基地局がいずれもコレスポンデンスをサポートする。本実現方式では、基地局はコレスポンデンスを利用して基地局の利用可能送信ビームに基づいて基地局の利用可能受信ビームを決定してもよい。
【００８５】
第２実現方式では、ＵＥがコレスポンデンスをサポートするが、基地局がコレスポンデンスをサポートしない。本実現方式では、基地局は１つ又は複数の走査周期に複数の受信ビームを利用してＵＥが送信したＲＡプリアンブルを受信し、１つ又は複数の走査周期に受信された複数のＲＡプリアンブルから条件を満足するＲＡプリアンブルを決定してもよい。以上のように、前記条件は必要に応じて設定される任意の条件であってもよい。例えば、前記条件は受信品質が最も良いことであってもよいし、受信品質がある所定の閾値を超えることであってもよい。次に、基地局は決定されたＲＡプリアンブルを受信した受信ビームを、基地局の利用可能受信ビームとして決定してもよい。
【００８６】
第３実現方式では、ＵＥがコレスポンデンスをサポートせず、又はＵＥがコレスポンデンスをサポートするが、該コレスポンデンスを利用せず、基地局がコレスポンデンスをサポートする。該実現方式は以上に図３を参照して説明した第３〜第５実現方式に対応する。
【００８７】
本実現方式では、基地局はコレスポンデンスを利用して基地局の利用可能送信ビームに基づいて基地局の利用可能受信ビームを決定することができる。次に、基地局は複数の走査周期ごとに基地局の利用可能受信ビームを利用してＵＥが送信した該走査周期に関連するＲＡプリアンブルを受信し、受信された複数のＲＡプリアンブルから条件を満足する少なくとも１つのＲＡプリアンブルを決定し、それぞれ決定された少なくとも１つのＲＡプリアンブルに応答して基地局の利用可能送信ビームを利用してＵＥへ少なくとも１つのＲＡＲを送信してもよく、各ＲＡＲは決定された対応するＲＡプリアンブルに対応するＲＮＴＩによりスクランブルされる。
【００８８】
あるいは、基地局はコレスポンデンスを利用して基地局の利用可能送信ビームに基づいて基地局の利用可能受信ビームを決定してもよい。次に、基地局は複数の走査周期ごとに基地局の利用可能受信ビームを利用してＵＥが送信した該走査周期に関連するＲＡプリアンブルを受信し、受信された複数のＲＡプリアンブルから条件を満足する少なくとも１つのＲＡプリアンブルを決定し、決定された少なくとも１つのプリアンブルに応答して基地局の利用可能送信ビームを利用してＵＥへ少なくとも１つのＲＡＲを送信してもよく、各ＲＡＲはＲＡＲの物理リソースとＲＡプリアンブルの物理リソースとの所定の関連関係に基づいて決定された、対応するＲＡプリアンブルの物理リソースに関連する物理リソースにより送信される。
【００８９】
上記操作の詳細は以上に図３を参照して説明した第３〜第５実現方式で説明されたため、詳細な説明を省略する。
【００９０】
第４実現方式では、ＵＥ及び基地局がいずれもコレスポンデンスをサポートせず、又はＵＥ及び基地局がコレスポンデンスをサポートするが、該コレスポンデンスを利用しない。該実現方式は以上に図３を参照して説明した第６〜第８実現方式に対応する。
【００９１】
本実現方式では、基地局は複数の走査周期ごとに複数の受信ビームを利用してＵＥが送信した該走査周期に関連するＲＡプリアンブルを受信し、各走査周期に受信した複数のＲＡプリアンブルから条件を満足するＲＡプリアンブルを決定し、各走査周期に対して決定したＲＡプリアンブルに応答して基地局の利用可能送信ビームを利用してＲＡＲを送信してもよく、該ＲＡＲは対応するＲＡプリアンブルに対応するＲＮＴＩによりスクランブルされる。
【００９２】
あるいは、基地局は複数の走査周期ごとに複数の受信ビームを利用してＵＥが送信した該走査周期に関連するＲＡプリアンブルを受信し、各走査周期に受信した複数のＲＡプリアンブルから条件を満足するＲＡプリアンブルを決定し、且つ各走査周期に対して決定したＲＡプリアンブルに応答して基地局の利用可能送信ビームを利用してＵＥへＲＡＲを送信してもよく、該ＲＡＲはＲＡＲの物理リソースとＲＡプリアンブルの物理リソースとの所定の関連関係に基づいて決定された、対応するＲＡプリアンブルの物理リソースに対応する物理リソースにより送信される。
【００９３】
上記操作の詳細は以上に図３を参照して説明した第６〜第８実現方式で説明されたため、詳細な説明を省略する。
【００９４】
このように、本開示の実施例に係る基地局の実行するビーム決定方法を利用して、基地局の利用可能送信ビーム及び利用可能受信ビームを決定し、ＵＥの利用可能送信ビームをＵＥに暗黙的に通知することができる。
【００９５】
以下、図１４を参照しながら本開示の第１実施例に係るＵＥを説明する。該ＵＥは上記ビーム決定方法を実行することができる。該ＵＥの操作は以上に記載のビーム決定方法の各ステップと略同じであるため、ここでは、同じ内容についての重複説明を省略して簡単に説明する。
【００９６】
図１４に示すように、ＵＥ２０は決定部２１及び通知部２２を含む。図１４には本開示の実施例に関連する部品のみを示し、他の部品は省略するが、それらは例示的なものに過ぎず、必要に応じて、ＵＥ２０は他の部品を含んでもよいと理解すべきである。
【００９７】
決定部２１は基地局が送信した下り同期信号に基づいてＵＥの利用可能受信ビーム及び基地局の利用可能送信ビームを決定してもよい。具体的には、決定部２１は前記複数の走査周期ごとに該走査周期に対応する１つの受信ビームを利用して、基地局が複数の送信ビームを利用して送信した下り同期信号を受信し、前記複数の走査周期に受信した各下り同期信号から条件を満足する１つの下り同期信号を選択し、それから、選択された下り同期信号を受信した受信ビームを、該ＵＥの利用可能受信ビームとして決定し、該選択された下り同期信号を受信する時間ユニットに対応する基地局の送信ビームを、基地局の利用可能送信ビームとして決定してもよい。
【００９８】
通知部２２は基地局の利用可能送信ビームを示す情報を、基地局に暗黙的に通知してもよい。
【００９９】
本開示の実施例では、基地局がコレスポンデンスをサポートするかどうかによって異なる方式で基地局へ基地局の利用可能送信ビームを暗黙的に通知してもよい。具体的には、基地局が送信した、基地局がコレスポンデンスをサポートするかどうかを示す情報を含むＲＡＣＨ構成に基づいて、基地局がコレスポンデンスをサポートするかどうかを決定してもよい。
【０１００】
基地局がコレスポンデンスをサポートする場合、通知部２２は基地局の利用可能送信ビームに対応する時間リソースにおいてＲＡプリアンブルを基地局に送信してもよい。具体的には、基地局及びＵＥにＵＥが送信できる各ＲＡプリアンブルの時間リソースと基地局の各送信ビームとの対応関係を予め設定してもよく、又は基地局に前記対応関係を設定して、該対応関係を示す情報を含むＲＡＣＨ構成をＵＥに送信してもよい。このように、通知部２２は前記対応関係に基づいて基地局の利用可能送信ビームに対応するＲＡプリアンブルの時間リソースを決定し、該時間リソースにおいてＲＡプリアンブルを基地局に送信してもよい。
【０１０１】
基地局がコレスポンデンスをサポートしない場合、通知部２２は基地局が送信した、基地局の各送信ビームと該送信ビームに関連するランダムアクセスプリアンブルとを示すランダムアクセスチャネル構成に基づいて、基地局の利用可能送信ビームに関連するランダムアクセスプリアンブルを決定し、基地局の利用可能送信ビームに関連するランダムアクセスプリアンブルを基地局に送信してもよい（例えば、基地局のいずれか１つの受信ビームに送信する）。
【０１０２】
以上のように、ランダムアクセス及び他の通信手順を効果的に行うために、更にＵＥの利用可能送信ビーム及び基地局の利用可能受信ビームを決定してもよい。本開示の第１実施例では、ＵＥ及び基地局がコレスポンデンスをサポートするかどうか、及びＵＥが１つの走査周期内に利用できる送信ビームの数によって、この手順は異なる実現方式があってもよい。以上のように、ＵＥは基地局が送信した、基地局がコレスポンデンスをサポートするかどうかを示す情報を含むＲＡＣＨ構成に基づいて、基地局がコレスポンデンスをサポートするかどうかを決定してもよい。無論、ＵＥにおいて基地局がコレスポンデンスをサポートするかどうかを予め把握した場合、基地局はＲＡＣＨ構成によって基地局がコレスポンデンスをサポートするかどうかをＵＥに通知する必要がなく、ＵＥも上記決定を行う必要がない。
【０１０３】
第１実現方式では、ＵＥがコレスポンデンスをサポートし、基地局もコレスポンデンスをサポートする。本実現方式では、決定部２１はコレスポンデンスを利用して該ＵＥの利用可能受信ビームに基づいて該ＵＥの利用可能送信ビームを決定してもよい。
【０１０４】
第２実現方式では、ＵＥがコレスポンデンスをサポートするが、基地局がコレスポンデンスをサポートせず、又は基地局がコレスポンデンスをサポートするが、該基地局がコレスポンデンスをサポートすることをＵＥに通知しないことで、コレスポンデンスを利用しない。本実現方式では、決定部２１はコレスポンデンスを利用して該ＵＥの利用可能受信ビームに基づいて該ＵＥの利用可能送信ビームを決定してもよい。次に、通知部２２は走査周期にＵＥの利用可能送信ビームを利用して基地局の複数の受信ビームへＲＡプリアンブルを送信してもよい。
【０１０５】
第３実現方式では、ＵＥがコレスポンデンスをサポートせず、又はＵＥがコレスポンデンスをサポートするが、該コレスポンデンスを利用せず、基地局がコレスポンデンスをサポートし、且つ１つの走査周期に、ＵＥが１つの送信ビームを利用して基地局へＲＡプリアンブルを送信する。
【０１０６】
本実現方式では、決定部２１はコレスポンデンスを利用して基地局の利用可能送信ビームに基づいて基地局の利用可能受信ビームを決定してもよい。次に、通知部２２は複数の走査周期ごとに、該走査周期に関連する１つの送信ビームを利用して基地局の利用可能受信ビームへ該走査周期に関連するＲＡプリアンブルを送信してもよい。
【０１０７】
具体的には、本実現方式の第１例では、基地局から受信されたＲＡＣＨ構成において基地局が下り同期信号を送信する走査周期に対する、ＵＥがＲＡプリアンブルを送信する走査周期のオフセット（ｘ）を通知した場合、通知部２２は複数の走査周期ごとに１つの送信ビームを利用して基地局の利用可能受信ビームへ該走査周期に関連するＲＡプリアンブルを送信してもよく、ここで、異なる走査周期に関連する送信ビームは異なり、且つ異なる走査周期に関連するＲＡプリアンブルも異なる。本実現方式の第２例では、基地局から受信されたＲＡＣＨ構成において基地局が下り同期信号を送信する走査周期に対する、ＵＥがＲＡプリアンブルを送信する走査周期のオフセット（ｘ）及びＵＥがＲＡプリアンブルを送信する走査周期の長さ（ｙ）を通知した場合、通知部２２は複数の走査周期ごとに１つの送信ビームを利用して基地局の複数の受信ビームへＲＡプリアンブルを送信してもよく、ここで、異なる走査周期に利用される送信ビームは異なってもよく、且つ異なる走査周期に送信したＲＡプリアンブルは同じである。無論、場合によっては、異なる走査周期に利用される送信ビームは一部が同じであり、一部が異なってもよい。
【０１０８】
以上に記載の基地局がＵＥにＵＥの利用可能送信ビームを通知する第１例では、基地局は決定されたＲＡプリアンブルの時間リソース及び周波数リソースに基づいて該ＲＡプリアンブルに対応するＲＮＴＩを計算し、決定されたＲＡプリアンブルに応答して該基地局の利用可能送信ビームを利用してＲＡＲをＵＥに送信してもよく、該ＲＡＲは決定されたＲＮＴＩによりスクランブルされる。それに対応して、決定部２１は基地局が送信したＲＡＲを受信し、各ＲＡプリアンブルのＲＮＴＩをそれぞれ利用して受信されたＲＡＲをデスクランブルすることにより、前記ＲＡＲのデスクランブルに成功したＲＮＴＩを決定してもよく、それから、決定されたＲＮＴＩに対応するＲＡプリアンブルを送信した送信ビームを、該ＵＥの利用可能送信ビームとして決定してもよい。
【０１０９】
以上に記載の基地局がＵＥにＵＥの利用可能送信ビームを通知する第２例では、基地局はＲＡＲの物理リソースとＲＡプリアンブルの物理リソースとの所定の関連関係に基づいて、決定されたＲＡプリアンブルの物理リソースに対応するＲＡの対応する物理リソースを利用して、該基地局の利用可能送信ビームによって、決定されたＲＡプリアンブルに応答して送信するＲＡＲをＵＥに送信してもよい。それに対応して、決定部２１は基地局が該基地局の利用可能送信ビームを利用して送信したＲＡＲを受信し、ＲＡＲの物理リソースとＲＡプリアンブルの物理リソースとの所定の関連関係に基づいて、受信されたＲＡＲの物理リソースに関連する物理リソースを利用して送信したＲＡプリアンブルを決定し、決定されたＲＡプリアンブルを送信した送信ビームを、該ＵＥの利用可能送信ビームとして決定してもよい。
【０１１０】
第４実現方式では、ＵＥがコレスポンデンスをサポートせず、又はＵＥがコレスポンデンスをサポートするが、該コレスポンデンスを利用せず、基地局がコレスポンデンスをサポートし、且つ１つの走査周期に、ＵＥが同時に複数の送信ビームを利用して異なる物理リソースにおいて基地局へＲＡプリアンブルを送信してもよい。
【０１１１】
本実現方式では、決定部２１はコレスポンデンスを利用して基地局の利用可能送信ビームに基づいて基地局の利用可能受信ビームを決定してもよい。次に、通知部２２は複数の走査周期ごとに該走査周期に関連する複数の送信ビームを利用して異なる物理リソースにおいて基地局の利用可能受信ビームへ該走査周期に関連するＲＡプリアンブルを送信してもよい。ここで、前記複数の送信ビームが同一の走査周期内に送信したＲＡプリアンブルは同じである。具体的には、通知部２２は複数の走査周期ごとに該走査周期に関連する複数の送信ビームを利用して異なる物理リソースにおいて基地局の利用可能受信ビームへ該走査周期に関連するＲＡプリアンブルを送信してもよく、ここで、異なる走査周期に関連する送信ビームが互いに異なり、且つ基地局から受信されたＲＡＣＨ構成において基地局が下り同期信号を送信する走査周期に対する、ＵＥがＲＡプリアンブルを送信する走査周期のオフセット（ｘ）を通知した場合、異なる走査周期に関連するＲＡプリアンブルが互いに異なってもよく、その一方、基地局から受信されたＲＡＣＨ構成において基地局が下り同期信号を送信する走査周期に対する、ＵＥがＲＡプリアンブルを送信する走査周期のオフセット（ｘ）及びＵＥがＲＡプリアンブルを送信する走査周期の長さ（ｙ）を通知した場合、異なる走査周期に関連するＲＡプリアンブルが互いに同じであってもよい。
【０１１２】
また、決定部２１は基地局が送信したＲＡＲを受信し、それぞれ各ＲＡプリアンブルのＲＮＴＩを利用して受信されたＲＡＲをデスクランブルすることにより、前記ＲＡＲのデスクランブルに成功したＲＮＴＩを決定してもよい。次に、決定部２１は決定されたＲＮＴＩに対応するＲＡプリアンブルを送信した送信ビームを、該ＵＥの利用可能送信ビームとして決定してもよい。
【０１１３】
第５実現方式では、ＵＥがコレスポンデンスをサポートせず、又はＵＥがコレスポンデンスをサポートするが、該コレスポンデンスを利用せず、基地局がコレスポンデンスをサポートし、且つ１つの走査周期に、ＵＥが同時に複数の送信ビームを利用して同じ物理リソースにおいて基地局へ異なるＲＡプリアンブルを送信してもよい。
【０１１４】
本実現方式では、決定部２１はコレスポンデンスを利用して基地局の利用可能送信ビームに基づいて基地局の利用可能受信ビームを決定してもよい。次に、通知部２２は複数の走査周期ごとに該走査周期に関連する複数の送信ビームを利用して同じ物理リソースにおいて基地局の利用可能受信ビームへ異なるＲＡプリアンブルを送信してもよい。
【０１１５】
また、決定部２１は基地局が該基地局の利用可能送信ビームを利用して送信した複数のＲＡＲを受信し、送信された各ＲＡプリアンブルに対応するＲＮＴＩをそれぞれ利用して前記複数のＲＡＲのうちの少なくとも１つをデスクランブルすることにより、前記少なくとも１つのＲＡＲのデスクランブルに成功したＲＮＴＩを決定してもよく、それから、決定部２１は決定されたＲＮＴＩのうちの１つに対応するＲＡプリアンブルを送信した送信ビームを、該ＵＥの利用可能送信ビームとして決定してもよい。
【０１１６】
第６実現方式では、ＵＥ及び基地局がいずれもコレスポンデンスをサポートせず、又はＵＥ及び基地局がコレスポンデンスをサポートするが、いずれも該コレスポンデンスを利用せず、且つ１つの走査周期に、ＵＥが１つの送信ビームを利用して基地局へ異なるＲＡプリアンブルを送信してもよい。
【０１１７】
本実現方式では、通知部２２は複数の走査周期ごとに該走査周期に関連する１つの送信ビームを利用して基地局の複数の受信ビームへ該走査周期に関連するＲＡプリアンブルを送信してもよい。
【０１１８】
具体的には、本実現方式の第１例では、基地局から受信されたＲＡＣＨ構成において基地局が下り同期信号を送信する走査周期に対する、ＵＥがＲＡプリアンブルを送信する走査周期のオフセット（ｘ）を通知した場合、通知部２２は複数の走査周期ごとに、該走査周期に関連する１つの送信ビームを利用して基地局の複数の受信ビームへ該走査周期に関連するＲＡプリアンブルを送信してもよく、ここで、異なる走査周期に関連する送信ビームは異なり、且つ異なる走査周期に関連するＲＡプリアンブルも異なる。
【０１１９】
以上に記載の基地局がＵＥにＵＥの利用可能送信ビームを通知する第１例では、基地局は各走査周期に対して決定したＲＡプリアンブルに応答して基地局の利用可能送信ビームを利用してＲＡＲを送信してもよく、該ＲＡＲは対応するＲＡプリアンブルに対応するＲＮＴＩによりスクランブルされる。それに対応して、決定部２１は基地局が該基地局の利用可能送信ビームを利用して送信した複数のＲＡＲを受信し、各走査周期に送信したＲＡプリアンブルに対応するＲＮＴＩをそれぞれ利用して前記複数のＲＡＲのうちの少なくとも１つのＲＡＲをデスクランブルすることにより、前記少なくとも１つのＲＡＲのデスクランブルに成功した無線ネットワーク一時識別子を決定し、それから、決定された無線ネットワーク一時識別子のうちの１つに対応するＲＡプリアンブルの送信ビームをユーザー装置の利用可能送信ビームとして決定してもよい。
【０１２０】
以上に記載の基地局がＵＥにＵＥの利用可能送信ビームを通知する第２例では、基地局はＲＡＲの物理リソースとＲＡプリアンブルの物理リソースとの所定の関連関係に基づいて、決定されたＲＡプリアンブルの物理リソースに対応するＲＡの対応する物理リソースを利用して、該基地局の利用可能送信ビームによって、決定されたＲＡプリアンブルに応答して送信するＲＡＲをＵＥに送信してもよい。それに対応して、決定部２１は基地局が該基地局の利用可能送信ビームを利用して送信した複数のＲＡＲを受信し、ＲＡＲの物理リソースとＲＡプリアンブルの物理リソースとの所定の関連関係に基づいて、受信された複数のＲＡＲのうちの少なくとも１つに対応するＲＡプリアンブルを決定することにより、決定されたＲＡプリアンブルのうちの１つを送信した送信ビームを、該ＵＥの利用可能送信ビームとして決定してもよい。
【０１２１】
第７実現方式では、ＵＥ及び基地局がいずれもコレスポンデンスをサポートせず、又はＵＥ及び基地局がコレスポンデンスをサポートするが、いずれも該コレスポンデンスを利用せず、且つ１つの走査周期に、ＵＥが複数の送信ビームを利用して異なる周波数リソースにおいて基地局へ同じＲＡプリアンブルを送信してもよい。
【０１２２】
本実現方式では、通知部２２は複数の走査周期ごとに、該走査周期に関連する複数の送信ビームを利用して異なる物理リソースにおいて基地局の複数の受信ビームへＲＡプリアンブルを送信してもよい。
【０１２３】
また、決定部２１は基地局が送信した少なくとも１つのＲＡＲを受信し、それぞれ各ＲＡプリアンブルのＲＮＴＩを利用して受信された少なくとも１つのＲＡＲをデスクランブルすることにより、前記少なくとも１つのＲＡＲのうちの少なくとも１つのデスクランブルに成功したＲＮＴＩを決定してもよい。次に、ＵＥは決定されたＲＮＴＩのうちの１つに対応するＲＡプリアンブルを送信した送信ビームを、該ＵＥの利用可能送信ビームとして決定してもよい。
【０１２４】
第８実現方式では、ＵＥ及び基地局がいずれもコレスポンデンスをサポートせず、又はＵＥ及び基地局がコレスポンデンスをサポートするが、いずれも該コレスポンデンスを利用せず、且つ１つの走査周期に、ＵＥが複数の送信ビームを利用して同じ周波数リソースにおいて基地局へ異なるＲＡプリアンブルを送信してもよい。
【０１２５】
本実現方式では、通知部２２は複数の走査周期ごとに、該走査周期に関連する複数の送信ビームを利用して同じ物理リソースにおいて基地局の複数の受信ビームへ異なるＲＡプリアンブルを送信してもよい。
【０１２６】
また、決定部２１は基地局が該基地局の利用可能送信ビームを利用して送信した複数のＲＡＲを受信し、送信された各ＲＡプリアンブルに対応するＲＮＴＩをそれぞれ利用して前記複数のＲＡＲのうちの少なくとも１つをデスクランブルすることにより、前記少なくとも１つのＲＡＲのデスクランブルに成功したＲＮＴＩを決定してもよく、それから、ＵＥは決定されたＲＮＴＩのうちの１つに対応するＲＡプリアンブルを送信した送信ビームを、該ＵＥの利用可能送信ビームとして決定してもよい。
【０１２７】
以下、図１５を参照しながら本開示の第１実施例に係る基地局を説明する。該基地局は以上に説明されるビーム決定方法を実行することができる。該基地局の操作は以上に記載のビーム決定方法の各ステップと略同じであるため、ここでは、同じ内容についての重複説明を省略して簡単に説明する。
【０１２８】
図１５に示すように、基地局１０は送信部１１及び決定部１２を含む。図１５には本開示の実施例に関連する部品のみを示し、他の部品を省略するが、それらは例示的なものに過ぎず、必要に応じて、基地局１０は他の部品を含んでもよいと理解すべきである。
【０１２９】
送信部１１はＵＥへ下り同期信号を送信してもよい。例えば、送信部１１は複数の走査周期ごとに複数の送信ビームを利用してＵＥへ複数の下り同期信号を送信してもよく、各送信ビームは走査周期内の１つの時間ユニットに対応する。
【０１３０】
決定部１２はＵＥから暗黙的に通知される、基地局の利用可能送信ビームを示す情報に基づいて基地局の利用可能送信ビームを決定してもよい。
【０１３１】
基地局がコレスポンデンスをサポートする場合、以上のように、基地局及びＵＥにＵＥが送信できる各ＲＡプリアンブルの時間リソースと基地局の各送信ビームとの対応関係を予め設定してもよく、又は基地局に前記対応関係を設定し、基地局によって該対応関係を示す情報を含むＲＡＣＨ構成をＵＥに送信してもよい。このように、ＵＥは前記対応関係に基づいて基地局の利用可能送信ビームに対応するＲＡプリアンブルの時間リソースを決定し、該時間リソースにおいてＲＡプリアンブルを基地局に送信してもよい。それに対応して、決定部１２は走査周期にＵＥから送信したＲＡプリアンブルを受信し、基地局の複数の送信ビームから受信されたＲＡチャネルに用いられる時間リソースに対応する送信ビームを基地局の利用可能送信ビームとして決定してもよい。
【０１３２】
基地局がコレスポンデンスをサポートしない場合、以上のように、ＵＥは基地局が送信した、基地局の各送信ビームと該送信ビームに関連するランダムアクセスプリアンブルとを示すランダムアクセスチャネル構成に基づいて、基地局の利用可能送信ビームに関連するランダムアクセスプリアンブルを決定し、基地局の利用可能送信ビームに関連するランダムアクセスプリアンブルを基地局に送信してもよい。それに対応して、決定部１２はＵＥが送信したＲＡプリアンブルを受信し、基地局によって該ＲＡプリアンブルに関連する基地局の送信ビームを決定し、受信されたＲＡプリアンブルに関連する送信ビームを基地局の利用可能送信ビームとして決定してもよい。
【０１３３】
このように、基地局はＵＥの暗黙的な通知に基づいて該基地局の利用可能送信ビームを決定することができる。また、下り同期信号を送信することにより、ＵＥはその利用可能受信ビームを決定することができる。
【０１３４】
以上のように、ランダムアクセス及び他の通信手順を効果的に行うために、更にＵＥの利用可能送信ビーム及び基地局の利用可能受信ビームを決定してもよい。同様に、本開示の第１実施例では、ＵＥ及び基地局がコレスポンデンスをサポートするかどうか、及びＵＥが１つの走査周期内に利用できる送信ビームの数によって、この手順は異なる実現方式があってもよい。
【０１３５】
第１実現方式では、ＵＥ及び基地局がいずれもコレスポンデンスをサポートする。本実現方式では、決定部１２はコレスポンデンスを利用して基地局の利用可能送信ビームに基づいて基地局の利用可能受信ビームを決定してもよい。
【０１３６】
第２実現方式では、ＵＥがコレスポンデンスをサポートするが、基地局がコレスポンデンスをサポートしない。本実現方式では、決定部１２は走査周期に複数の受信ビームを利用してＵＥが送信したＲＡプリアンブルを受信し、受信された複数のＲＡプリアンブルのうち条件を満足するＲＡプリアンブルを決定してもよい。次に、決定部１２は決定されたＲＡプリアンブルを受信した受信ビームを、基地局の利用可能受信ビームとして決定してもよい。
【０１３７】
第３実現方式では、ＵＥがコレスポンデンスをサポートせず、又はＵＥがコレスポンデンスをサポートするが、該コレスポンデンスを利用せず、基地局がコレスポンデンスをサポートする。該実現方式は以上に図３を参照して説明した第３〜第５実現方式に対応する。
【０１３８】
本実現方式では、決定部１２はコレスポンデンスを利用して基地局の利用可能送信ビームに基づいて基地局の利用可能受信ビームを決定してもよい。次に、送信部１１は複数の走査周期ごとに基地局の利用可能受信ビームを利用してＵＥが送信した該走査周期に関連するＲＡプリアンブルを受信し、受信された複数のＲＡプリアンブルのうち条件を満足する少なくとも１つのＲＡプリアンブルを決定し、それぞれ決定された少なくとも１つのＲＡプリアンブルに応答して基地局の利用可能送信ビームを利用してＵＥへ少なくとも１つのＲＡＲを送信してもよく、各ＲＡＲは決定された対応するＲＡプリアンブルに対応するＲＮＴＩによりスクランブルされる。
【０１３９】
あるいは、決定部１２はコレスポンデンスを利用して基地局の利用可能送信ビームに基づいて基地局の利用可能受信ビームを決定してもよい。次に、送信部１１は複数の走査周期ごとに基地局の利用可能受信ビームを利用してＵＥが送信した該走査周期に関連するＲＡプリアンブルを受信し、受信された複数のＲＡプリアンブルのうち条件を満足する少なくとも１つのＲＡプリアンブルを決定し、決定された少なくとも１つのプリアンブルに応答して基地局の利用可能送信ビームを利用してＵＥへ少なくとも１つのＲＡＲを送信してもよく、ここで、各ＲＡＲはＲＡＲの物理リソースとＲＡプリアンブルの物理リソースとの所定の関連関係に基づいて決定された、対応するＲＡプリアンブルの物理リソースに関連する物理リソースにより送信される。
【０１４０】
上記操作の詳細は以上に図３を参照して説明した第３〜第５実現方式で説明されたため、詳細な説明を省略する。
【０１４１】
第４実現方式では、ＵＥ及び基地局がいずれもコレスポンデンスをサポートせず、又はＵＥ及び基地局がコレスポンデンスをサポートするが、該コレスポンデンスを利用しない。該実現方式は以上に図３を参照して説明した第６〜第８実現方式に対応する。
【０１４２】
本実現方式では、決定部１２は複数の走査周期ごとに複数の受信ビームを利用してＵＥが送信した該走査周期に関連するＲＡプリアンブルを受信し、各走査周期に受信した複数のＲＡプリアンブルのうち条件を満足するＲＡプリアンブルを決定してもよく、且つ送信部１１は各走査周期に対して決定したＲＡプリアンブルに応答して基地局の利用可能送信ビームを利用してＲＡＲを送信してもよく、ここで、該ＲＡＲは対応するＲＡプリアンブルに対応するＲＮＴＩによりスクランブルされる。
【０１４３】
あるいは、決定部１２は複数の走査周期ごとに複数の受信ビームを利用してＵＥが送信した該走査周期に関連するＲＡプリアンブルを受信し、各走査周期に受信した複数のＲＡプリアンブルのうち条件を満足するＲＡプリアンブルを決定してもよく、且つ送信部１１は各走査周期に対して決定したＲＡプリアンブルに応答して基地局の利用可能送信ビームを利用してＵＥへＲＡＲを送信してもよく、ここで、該ＲＡＲはＲＡＲの物理リソースとＲＡプリアンブルの物理リソースとの所定の関連関係に基づいて決定された、対応するＲＡプリアンブルの物理リソースに対応する物理リソースにより送信される。
【０１４４】
上記操作の詳細は以上に図３を参照して説明した第６〜第８実現方式で説明されたため、詳細な説明を省略する。
【０１４５】
（第２実施例）
以下、本開示の第２実施例に係るビーム決定方法を説明する。第２実施例では、ＵＥが全方向性アンテナを有し、基地局が複数の指向性アンテナを有し、それによりＵＥが全方向性ビームによって信号を送受信するが、基地局が複数の送信ビーム及び複数の受信ビームを利用して信号を送受信する。
【０１４６】
まず、図１６を参照しながら本開示の第２実施例に係るＵＥにより実行するビーム決定方法を説明する。
【０１４７】
図１６に示すように、ステップＳ１６０１では、基地局が送信した下り同期信号に基づいて基地局の前記複数のビームのうちの利用可能送信ビームを決定する。
【０１４８】
具体的には、基地局の複数の送信ビームから基地局の利用可能送信ビームを決定するために、走査周期を設定してもよく、該走査周期は複数の時間ユニット（シンボル）を含んでもよく、前記時間ユニットの数は基地局の送信ビームの数と同じであってもよい。基地局が走査周期内の各時間ユニットにおいて該時間ユニットに対応する１つの送信ビームを利用してＵＥへ下り同期信号を送信し、つまり、送信ビームの走査を行ってもよく、それにより各走査周期内にそれぞれ基地局のすべての送信ビームを利用して下り同期信号を１回送信してもよい。ＵＥは前記走査周期に基地局が複数の送信ビームを利用して送信した下り同期信号を受信してもよい。
【０１４９】
次に、ＵＥは前記走査周期に受信した各下り同期信号から条件を満足する１つの下り同期信号を選択してもよい。以上のように、前記条件は必要に応じて設定される任意の条件であってもよい。次に、ＵＥは選択された下り同期信号を受信する時間ユニットに対応する基地局の送信ビームを、基地局の利用可能送信ビームとして決定してもよい。基地局の走査方式、すなわち基地局の各送信ビームと走査周期内の各時間ユニット（シンボル）との対応関係は、ＵＥ及び基地局に予め設定されてもよいし、基地局により設定されてＲＡＣＨ構成によってＵＥに通知してもよい。
【０１５０】
次に、ステップＳ１６０２では、基地局の利用可能送信ビームを示す情報を、基地局に暗黙的に通知する。
【０１５１】
第２実施例では、基地局がコレスポンデンスをサポートするかどうかによって異なる方式で基地局に基地局の利用可能送信ビームを暗黙的に通知してもよい。具体的には、基地局が送信した、基地局がコレスポンデンスをサポートするかどうかを示す情報を含むＲＡＣＨ構成に基づいて、基地局がコレスポンデンスをサポートするかどうかを決定してもよい。あるいは、基地局がコレスポンデンスをサポートするかどうかを示す情報をＵＥに予め設定してもよく、このような場合、ＵＥは前記ＲＡＣＨ構成によって基地局がコレスポンデンスをサポートするかどうかを決定する必要がない。
【０１５２】
基地局がコレスポンデンスをサポートする場合、基地局の利用可能送信ビームに対応する時間リソースにおいてＲＡプリアンブルを基地局に送信してもよい。
【０１５３】
具体的には、基地局及びＵＥにＵＥが送信できる各ＲＡプリアンブルの時間リソースと基地局の各送信ビームとの対応関係を予め設定してもよく、又は基地局に前記対応関係を設定して、該対応関係を示す情報を含むＲＡＣＨ構成をＵＥに送信してもよい。このように、ＵＥが前記対応関係に基づいて基地局の利用可能送信ビームに対応するＲＡプリアンブルの時間リソースを決定し、該時間リソースにおいてＲＡプリアンブルを基地局に送信してもよい。このように、ＵＥが送信したＲＡプリアンブルを受信すると、基地局は前記対応関係に基づいて該プリアンブルに用いられた時間リソースに対応する送信ビームを基地局の利用可能送信ビームとして決定してもよい。
【０１５４】
基地局がコレスポンデンスをサポートしない場合、基地局が送信した、基地局の各送信ビームと該送信ビームに関連するＲＡプリアンブルとを示すＲＡチャネル構成に基づいて、基地局の利用可能送信ビームに関連するＲＡプリアンブルを決定し、基地局の利用可能送信ビームに関連するＲＡプリアンブルを基地局に送信してもよい。具体的には、基地局及びＵＥに基地局の各送信ビームとＵＥが送信したランダムアクセスプリアンブルとの関連関係を予め設定してもよく、又は基地局に前記関連関係を設定し、該関連関係を示す情報を含むＲＡＣＨ構成（すなわち、基地局の各送信ビームと該送信ビームに関連するＲＡプリアンブルとを示すＲＡＣＨ構成）をＵＥに送信してもよい。このように、ＵＥは前記関連関係に基づいて基地局の利用可能送信ビームに関連するＲＡプリアンブルを決定し、基地局の利用可能送信ビームに関連するＲＡプリアンブルを基地局に送信してもよい。ＵＥが送信したＲＡプリアンブルを受信すると、基地局は該ＲＡプリアンブルに関連する基地局の送信ビームを基地局の利用可能送信ビームとして決定してもよい。ここで、任意の適切な方式で基地局の送信ビームとＲＡプリアンブルとの関連関係を設定してもよい。例えば、ＲＡプリアンブルのインデックスに基づいてＲＡプリアンブルを複数のグループに分け、基地局の各送信ビームが１つのＲＡプリアンブルグループに対応するようにしてもよい。
【０１５５】
この方式で、ＵＥは基地局の利用可能送信ビームを決定して、それを基地局に暗黙的に通知することができる。
【０１５６】
基地局の利用可能送信ビームを決定する以外に、更に基地局の利用可能受信ビームを決定する必要がある。
【０１５７】
基地局がコレスポンデンスをサポートする場合、基地局がコレスポンデンスを利用してＵＥの通知した利用可能送信ビームに基づいて該基地局の利用可能受信ビームを決定してもよいため、ＵＥが基地局へＲＡプリアンブルを送信することにより基地局の利用可能受信ビームを決定する必要がない。
【０１５８】
基地局がコレスポンデンスをサポートしない場合、ＵＥは走査周期に基地局の複数の受信ビームへＲＡプリアンブルを送信してもよい。このような場合、基地局は複数のビームを利用してＵＥが送信した複数のＲＡプリアンブルを受信し、受信された複数のＲＡプリアンブルから条件を満足するＲＡプリアンブルを決定してもよい。以上のように、前記条件は必要に応じて設定されてもよい。次に、基地局は決定されたＲＡプリアンブルを受信した受信ビームを、基地局の利用可能ビームとして決定してもよい。
【０１５９】
以下、図１７を参照しながら本開示の第２実施例に係る基地局により実行するビーム決定方法を説明する。
【０１６０】
図１７に示すように、ステップＳ１７０１では、基地局はＵＥへ下り同期信号を送信してもよい。例えば、基地局は複数の走査周期ごとに複数の送信ビームを利用してＵＥへ複数の下り同期信号を送信してもよく、各送信ビームは走査周期内の１つの時間ユニットに対応する。ここで、基地局は以上に図３におけるステップＳ３０１を参照して説明した方式でステップＳ１３０１を実行してもよく、ここでは詳細な説明を省略する。
【０１６１】
ステップＳ１７０２では、基地局はＵＥから暗黙的に通知される、基地局の利用可能送信ビームを示す情報に基づいて基地局の利用可能送信ビームを決定してもよい。
【０１６２】
基地局がコレスポンデンスをサポートする場合、以上のように、ＵＥが基地局の利用可能送信ビームに対応する時間リソースにおいてＲＡプリアンブルを基地局に送信してもよい。具体的には、基地局及びＵＥにＵＥが送信できる各ＲＡプリアンブルの時間リソースと基地局の各送信ビームとの対応関係を予め設定してもよく、又は基地局に前記対応関係を設定し、基地局によって該対応関係を示す情報を含むＲＡＣＨ構成をＵＥに送信してもよい。このように、ＵＥは前記対応関係に基づいて基地局の利用可能送信ビームに対応するＲＡプリアンブルの時間リソースを決定し、該時間リソースにおいてＲＡプリアンブルを基地局に送信してもよい。それに対応して、基地局は走査周期にＵＥが送信したＲＡプリアンブルを受信し、基地局の複数の送信ビームから受信されたＲＡチャネルに用いた時間リソースに対応する送信ビームを基地局の利用可能送信ビームとして決定してもよい。
【０１６３】
次に、基地局はコレスポンデンスを利用して基地局の利用可能送信ビームに基づいて基地局の利用可能受信ビームを決定してもよい。
【０１６４】
基地局がコレスポンデンスをサポートしない場合、以上のように、ＵＥは基地局が送信した、基地局の各送信ビームと該送信ビームに関連するランダムアクセスプリアンブルとを示すランダムアクセスチャネル構成に基づいて、基地局の利用可能送信ビームに関連するランダムアクセスプリアンブルを決定し、基地局の利用可能送信ビームに関連するランダムアクセスプリアンブルを基地局に送信してもよい。以上のように、基地局及びＵＥに基地局の各送信ビームとＵＥが送信したランダムアクセスプリアンブルとの関連関係を予め設定してもよく、又は基地局に前記関連関係を設定し、該関連関係を示す情報を含むＲＡＣＨ構成（すなわち、基地局の各送信ビームと該送信ビームに関連するＲＡプリアンブルとを示すＲＡＣＨ構成）をＵＥに送信してもよい。それに対応して、基地局はＵＥが送信したＲＡプリアンブルを受信し、受信されたＲＡプリアンブルに関連する送信ビームを基地局の利用可能送信ビームとして決定してもよい。
【０１６５】
また、基地局は更に走査周期に複数の受信ビームを利用してＵＥが送信した複数のＲＡプリアンブルを受信し、受信された複数のＲＡプリアンブルから条件を満足するＲＡプリアンブルを決定し、決定されたＲＡプリアンブルを受信した受信ビームを、基地局の利用可能受信ビームとして決定してもよい。
【０１６６】
このように、基地局は該基地局の利用可能受信ビームを決定することができる。
【０１６７】
以下、図１８を参照しながら本開示の第２実施例に係るＵＥを説明する。該ＵＥは上記ビーム決定方法を実行することができる。該ＵＥの操作は以上に記載のビーム決定方法の各ステップと略同じであるため、ここでは、同じ内容についての重複説明を省略して簡単に説明する。
【０１６８】
図１８に示すように、ＵＥ２０′は決定部２１′及び通知部２２′を含む。図１８には本開示の実施例に関連する部品のみを示し、他の部品を省略するが、それらは例示的なものに過ぎず、必要に応じて、ＵＥ２０′は他の部品を含んでもよいと理解すべきである。
【０１６９】
決定部２１′は基地局が送信した下り同期信号に基づいて基地局の前記複数のビームのうちの利用可能送信ビームを決定してもよい。
【０１７０】
具体的には、基地局の複数の送信ビームのうち基地局の利用可能送信ビームを決定するために、走査周期を設定してもよく、該走査周期は複数の時間ユニット（シンボル）を含んでもよく、前記時間ユニットの数が基地局の送信ビームの数と同じであってもよい。基地局は走査周期内の各時間ユニットにおいて該時間ユニットに対応する１つの送信ビームを利用してＵＥへ下り同期信号を送信し、つまり、送信ビームの走査を行ってもよく、それにより各走査周期内にそれぞれ基地局のすべての送信ビームを利用して下り同期信号を１回送信することができる。決定部２１′は前記走査周期に基地局が複数の送信ビームを利用して送信した下り同期信号を受信してもよい。
【０１７１】
次に、決定部２１′は前記走査周期に受信した各下り同期信号のうち条件を満足する１つの下り同期信号を選択してもよい。以上のように、前記条件は必要に応じて設定される任意の条件であってもよい。次に、決定部２１′は選択された下り同期信号を受信する時間ユニットに対応する基地局の送信ビームを、基地局の利用可能送信ビームとして決定してもよい。基地局の走査方式、すなわち基地局の各送信ビームと走査周期内の各時間ユニット（シンボル）との対応関係は、ＵＥ及び基地局に予め設定されてもよいし、基地局により設定されてＲＡＣＨ構成によってＵＥに通知してもよい。
【０１７２】
通知部２２′は基地局の利用可能送信ビームを示す情報を、基地局に暗黙的に通知してもよい。
【０１７３】
第２実施例では、通知部２２′は基地局がコレスポンデンスをサポートするかどうかによって異なる方式で基地局に基地局の利用可能送信ビームを暗黙的に通知してもよい。具体的には、通知部２２′は基地局の送信した、基地局がコレスポンデンスをサポートするかどうかを示す情報を含むＲＡＣＨ構成に基づいて、基地局がコレスポンデンスをサポートするかどうかを決定してもよい。あるいは、基地局がコレスポンデンスをサポートするかどうかを示す情報をＵＥに予め設定してもよく、このような場合、ＵＥは前記ＲＡＣＨ構成によって基地局がコレスポンデンスをサポートするかどうかを決定する必要がない。
【０１７４】
基地局がコレスポンデンスをサポートする場合、通知部２２′は基地局の利用可能送信ビームに対応する時間リソースにおいてＲＡプリアンブルを基地局に送信してもよい。具体的には、基地局及びＵＥにＵＥが送信できる各ＲＡプリアンブルの時間リソースと基地局の各送信ビームとの対応関係を予め設定してもよく、又は基地局に前記対応関係を設定して、該対応関係を示す情報を含むＲＡＣＨ構成をＵＥに送信してもよい。このように、通知部２２′は前記対応関係に基づいて、基地局の利用可能送信ビームに対応するＲＡプリアンブルの時間リソースを決定し、該時間リソースにおいてＲＡプリアンブルを基地局に送信してもよい。このように、ＵＥから送信したＲＡプリアンブルを受信すると、基地局は前記対応関係に基づいて該プリアンブルに用いた時間リソースに対応する送信ビームを基地局の利用可能送信ビームとして決定してもよい。
【０１７５】
基地局がコレスポンデンスをサポートしない場合、通知部２２′は基地局が送信した、基地局の各送信ビームと該送信ビームに関連するＲＡプリアンブルとを示すＲＡチャネル構成に基づいて、基地局の利用可能送信ビームに関連するＲＡプリアンブルを決定し、基地局の利用可能送信ビームに関連するＲＡプリアンブルを基地局に送信してもよい。具体的には、基地局及びＵＥに基地局の各送信ビームとＵＥが送信したランダムアクセスプリアンブルとの関連関係を予め設定してもよく、又は基地局に前記関連関係を設定して、該関連関係を示す情報を含むＲＡＣＨ構成（すなわち、基地局の各送信ビームと該送信ビームに関連するＲＡプリアンブルとを示すＲＡＣＨ構成）をＵＥに送信してもよい。このように、通知部２２′は前記関連関係に基づいて基地局の利用可能送信ビームに関連するＲＡプリアンブルを決定し、基地局の利用可能送信ビームに関連するＲＡプリアンブルを基地局に送信してもよい。ＵＥが送信したＲＡプリアンブルを受信すると、基地局は該ＲＡプリアンブルに関連する基地局の送信ビームを基地局の利用可能送信ビームとして決定してもよい。
【０１７６】
この方式で、ＵＥは基地局の利用可能送信ビームを決定して、それを基地局に暗黙的に通知することができる。
【０１７７】
基地局の利用可能送信ビームを決定する以外に、更に基地局の利用可能受信ビームを決定する必要がある。
【０１７８】
基地局がコレスポンデンスをサポートする場合、基地局はコレスポンデンスを利用してＵＥが通知した利用可能送信ビームに基づいて該基地局の利用可能受信ビームを決定できるため、ＵＥが基地局へＲＡプリアンブルを送信することにより基地局の利用可能受信ビームを決定する必要がない。
【０１７９】
基地局がコレスポンデンスをサポートしない場合、通知部２２′は走査周期に基地局の複数の受信ビームへＲＡプリアンブルを送信してもよい。このような場合、基地局は複数のビームを利用してＵＥが送信した複数のＲＡプリアンブルを受信し、受信された複数のＲＡプリアンブルから条件を満足するＲＡプリアンブルを決定してもよい。以上のように、前記条件は必要に応じて設定されてもよい。次に、基地局は決定されたＲＡプリアンブルを受信した受信ビームを、基地局の利用可能ビームとして決定してもよい。
【０１８０】
以下、図１９を参照しながら本開示の第２実施例に係る基地局を説明する。前記基地局は以上に記載のビーム決定方法を実行することができる。該基地局の操作は以上に記載のビーム決定方法の各ステップと略同じであるため、ここでは、同じ内容についての重複説明を省略して簡単に説明する。
【０１８１】
図１９に示すように、ＵＥ１０′は送信部１１′及び決定部１２′を含む。図１９には本開示の実施例に関連する部品のみを示し、他の部品を省略するが、それらは例示的なものに過ぎず、必要に応じて、基地局２０′は他の部品を含んでもよいと理解すべきである。
【０１８２】
図１９に示すように、送信部１１′はＵＥへ下り同期信号を送信することができる。例えば、送信部１１′は複数の走査周期ごとに複数の送信ビームを利用してＵＥへ複数の下り同期信号を送信してもよく、各送信ビームは走査周期内の１つの時間ユニットに対応する。ここで、送信部１１′は以上に図３におけるステップＳ３０１を参照して説明した方式でステップＳ１３０１を実行してもよく、詳細な説明を省略する。
【０１８３】
決定部１２′はＵＥから暗黙的に通知される、基地局の利用可能送信ビームを示す情報に基づいて基地局の利用可能送信ビームを決定してもよい。
【０１８４】
基地局がコレスポンデンスをサポートする場合、以上のように、ＵＥは基地局の利用可能送信ビームに対応する時間リソースにおいてＲＡプリアンブルを基地局に送信してもよい。具体的には、基地局及びＵＥにＵＥが送信できる各ＲＡプリアンブルの時間リソースと基地局の各送信ビームとの対応関係を予め設定してもよく、又は基地局に前記対応関係を設定して、基地局によって該対応関係を示す情報を含むＲＡＣＨ構成をＵＥに送信してもよい。このように、ＵＥは前記対応関係に基づいて基地局の利用可能送信ビームに対応するＲＡプリアンブルの時間リソースを決定し、該時間リソースにおいてＲＡプリアンブルを基地局に送信してもよい。それに対応して、決定部１２′は走査周期にＵＥが送信したＲＡプリアンブルを受信し、基地局の複数の送信ビームから受信されたＲＡチャネルに用いた時間リソースに対応する送信ビームを基地局の利用可能送信ビームとして決定してもよい。
【０１８５】
次に、決定部１２′はコレスポンデンスを利用して基地局の利用可能送信ビームに基づいて基地局の利用可能受信ビームを決定してもよい。
【０１８６】
基地局がコレスポンデンスをサポートしない場合、以上のように、ＵＥは基地局が送信した、基地局の各送信ビームと該送信ビームに関連するランダムアクセスプリアンブルとを示すランダムアクセスチャネル構成に基づいて、基地局の利用可能送信ビームに関連するランダムアクセスプリアンブルを決定し、基地局の利用可能送信ビームに関連するランダムアクセスプリアンブルを基地局に送信してもよい。以上のように、基地局及びＵＥに基地局の各送信ビームとＵＥが送信したランダムアクセスプリアンブルとの関連関係を予め設定してもよく、又は基地局に前記関連関係を設定し、該関連関係を示す情報を含むＲＡＣＨ構成（すなわち、基地局の各送信ビームと該送信ビームに関連するＲＡプリアンブルとを示すＲＡＣＨ構成）をＵＥに送信してもよい。それに対応して、決定部１２′はＵＥが送信したＲＡプリアンブルを受信し、受信されたＲＡプリアンブルに関連する送信ビームを基地局の利用可能送信ビームとして決定してもよい。
【０１８７】
なお、決定部１２′は更に走査周期に複数の受信ビームを利用してＵＥが送信した複数のＲＡプリアンブルを受信し、受信された複数のＲＡプリアンブルから条件を満足するＲＡプリアンブルを決定し、決定されたＲＡプリアンブルを受信した受信ビームを、基地局の利用可能受信ビームとして決定してもよい。
【０１８８】
このように、基地局は該基地局の利用可能受信ビームを決定することができる。
【０１８９】
（第３実施例）
ＵＥは基地局がハイブリッドビームフォーミングをサポートするかどうかによって異なる方式でＵＥの利用可能送信ビーム及び基地局の利用可能受信ビームを決定する。基地局がハイブリッドビームフォーミングをサポートする場合、基地局はアナログビームでＵＥが送信したＲＡプリアンブルを受信し、デジタルビームで該ＲＡプリアンブルを復号化してもよい。
【０１９０】
具体的には、まず、ＵＥは基地局の利用可能送信ビーム及び基地局の利用可能受信ビームを決定してもよい。第３実施例では、ＵＥは第１実施例と同じ方式で、基地局が送信した下り同期信号によってＵＥの利用可能受信ビーム及び基地局の利用可能送信ビームを決定してもよく、ここでは詳細な説明を省略する。次に、ＵＥは決定された基地局の利用可能送信ビームを基地局に暗黙的に通知してもよい。例えば、ＵＥは以上に記載の方式で、基地局が送信した、基地局の各送信ビームと該送信ビームに関連するＲＡプリアンブルとを示すランダムアクセスチャネル構成に基づいて、基地局の利用可能送信ビームに関連するＲＡプリアンブルを決定し、基地局の利用可能送信ビームに関連する該ＲＡプリアンブルを基地局に送信してもよく、それにより基地局が該ＲＡプリアンブルに基づいて関連する送信ビームを基地局の利用可能送信ビームとして決定してもよい。
【０１９１】
ＵＥの利用可能送信ビーム及び基地局の利用可能受信ビームを決定するとき、ＵＥは基地局がハイブリッドビームフォーミングをサポートするかどうかを決定して、それに対応して異なる方式を用いてもよい。このために、ＲＡＣＨ構成に基地局がハイブリッドビームフォーミングをサポートできるかどうかを示す情報（例えば、１ビット）を含ませて、該ＲＡＣＨ構成をＵＥに送信してもよい。
【０１９２】
基地局がハイブリッドビームフォーミングをサポートしないとＵＥが決定した場合、ＵＥは第１実施例及び／又は第２実施例に説明される方式で、基地局へＲＡプリアンブルを送信することにより、基地局の利用可能受信ビーム及びＵＥの利用可能送信ビームを決定してもよく、ここでは詳細な説明は省略する。
【０１９３】
図２０に示すように、基地局がハイブリッドビームフォーミングをサポートするとＵＥが決定した場合、ＵＥは１つの走査周期内に基地局へＲＡプリアンブルを送信してもよく、該走査周期は複数の時間ユニットを含み、且つ各時間ユニットにおいて、ＵＥが対応する１つの送信ビームを利用して前記ＲＡプリアンブルを送信し、異なる時間ユニットにおいて利用したＵＥの送信ビームが異なる。
【０１９４】
基地局側では、基地局はアナログ受信ビームでＵＥが送信した各ＲＡプリアンブルを受信し、異なるデジタル受信ビームを利用して、受信されたＲＡプリアンブルを復号化し、条件を満足するデジタル受信ビームを、基地局の利用可能受信ビームとして決定して、復号されたＲＡプリアンブルに対応するＵＥの送信ビームをＵＥの利用可能送信ビームとして決定する。前記条件は必要に応じて適切に設定されてもよい。例えば、前記条件は復号によって取得されるＲＡプリアンブルの品質が最も良いことであってもよい。次に、基地局は以上に記載の適切な方式でＵＥの利用可能送信ビームをＵＥに通知してもよい。例えば、基地局は復号されたＲＡプリアンブルに応答してＲＡＲを送信してもよく、該ＲＡＲが前記ＲＡプリアンブルに対応するＲＮＴＩによりスクランブルされ、それによりＵＥは送信された各ＲＡプリアンブルに対応するＲＮＴＩを利用して基地局が送信したＲＡＲをデスクランブルすることにより、基地局から通知した該ＵＥの利用可能送信ビームを決定することができる。
【０１９５】
本開示の実施例に係る上記ビーム決定方法、ＵＥ及び基地局によって、ＵＥの好適な送信ビーム及び好適な受信ビーム、並びに基地局の好適な送信ビーム及び好適な受信ビームを決定することができ、それによりＵＥの実行する基地局へのランダムアクセス及び後続の通信中に前記好適なビームを利用することができる。
【０１９６】
本明細書では、用語「含む」、「含める」又は任意の他の変形が非排他的包含を意味し、それにより一連の要素を含む手順、方法、品物又は装置がそれらの要素を含むだけでなく、更に明確に列挙していない他の要素を含み、又は更にこのような手順、方法、品物又は装置に固有の要素を含むと説明すべきである。特に断りがない限り、文「１つの〇〇を含む」で制限された要素は、前記要素を含むプロセス、方法、品物又は装置に更に他の同じ要素が存在することを除外しない。
【０１９７】
最後に、なお、上記一連の処理はここで記載の順序で時系列に基づいて実行される処理を含むだけでなく、更に時間順の代わりに同時又は別々に実行される処理を含むと説明すべきである。
【０１９８】
以上の実施形態についての説明によって、当業者であれば、本開示がソフトウェアと必要なハードウェアプラットフォームにより実現されてもよいし、すべてがハードウェアにより実施されてもよいことを明確に理解できる。このような理解に基づき、本開示の技術的解決策が背景技術に貢献する全部又は一部はソフトウェア製品の形式で具現されてもよく、該コンピュータソフトウェア製品は、１台のコンピュータ装置（パーソナルコンピュータ、サーバ、又はネットワーク機器等であってもよい）に本開示の各実施例又は実施例の一部に記載の方法を実行させるための複数の命令を含み、例えばＲＯＭ／ＲＡＭ、磁気ディスク、光ディスク等の記憶媒体に記憶される。
【０１９９】
以上は本開示を詳しく説明したが、本明細書では具体例を応用して本開示の原理及び実施形態を説明したが、以上の実施例についての説明は本開示の方法及びその要旨を理解するためのものであり、同時に、当業者であれば、本開示の要旨に基づき、具体的な実施形態及び応用範囲を変更することができ、要するに、本明細書の内容が本開示を制限するためのものであると理解すべきではない。
【図１】
2019537329.tif 000005
【図２】
2019537329.tif 000006
【図３】
2019537329.tif 000007
【図４】
2019537329.tif 000008
【図５】
2019537329.tif 000009
【図６】
2019537329.tif 000010
【図７】
2019537329.tif 000011
【図８】
2019537329.tif 000012
【図９】
2019537329.tif 000013
【図１０】
2019537329.tif 000014
【図１１】
2019537329.tif 000015
【図１２】
2019537329.tif 000016
【図１３】
2019537329.tif 000017
【図１４】
2019537329.tif 000018
【図１５】
2019537329.tif 000019
【図１６】
2019537329.tif 000020
【図１７】
2019537329.tif 000021
【図１８】
2019537329.tif 000022
【図１９】
2019537329.tif 000023
【図２０】
2019537329.tif 000024
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
複数の送信ビームを有する基地局と、複数の受信ビームを有するユーザー装置とを備える通信システムにおいて、ユーザー装置により上りランダムアクセス手順において実行されるビーム決定方法であって、
基地局が送信した下り同期信号に基づいて、ユーザー装置の前記複数の受信ビームのうちの利用可能受信ビーム及び基地局の前記複数の送信ビームのうちの利用可能送信ビームを決定することと、
基地局の利用可能送信ビームを示す情報を、基地局に暗黙的に通知することと、を含む、方法。
【請求項２】
基地局の利用可能送信ビームを示す情報を、基地局に暗黙的に通知することは、
基地局の利用可能送信ビームに対応する時間リソース、周波数リソースの少なくとも一つにおいてランダムアクセスプリアンブルを基地局に送信することを含む、請求項１に記載の方法。
【請求項３】
ランダムアクセスプリアンブルの時間リソース、周波数リソースの少なくとも一つと基地局の各送信ビームとの対応関係に基づいて、基地局の利用可能送信ビームに対応するランダムアクセスプリアンブルの時間リソース、周波数リソースの少なくとも一つを決定する、請求項２に記載の方法。
【請求項４】
基地局の利用可能送信ビームを示す情報を、基地局に暗黙的に通知することは、
基地局の各送信ビームとランダムアクセスプリアンブルとの関連関係に基づいて、基地局の利用可能送信ビームに関連するランダムアクセスプリアンブルを決定することと、
基地局の利用可能送信ビームに関連するランダムアクセスプリアンブルを基地局に送信することと、を含む、請求項１に記載の方法。
【請求項５】
ユーザー装置がレシプロシティをサポートし、且つ、前記方法は、
レシプロシティを利用して、ユーザー装置の利用可能受信ビームに基づいてユーザー装置の利用可能送信ビームを決定することを更に含む、請求項１に記載の方法。
【請求項６】
ユーザー装置の利用可能送信ビームを利用して、基地局へランダムアクセスプリアンブルを送信することを更に含む、請求項５に記載の方法。
【請求項７】
複数の走査周期ごとに、１つの送信ビームを利用して基地局へ該走査周期に関連するランダムアクセスプリアンブルを送信すること、を更に含み、
異なる走査周期に利用される送信ビームが異なる、請求項１に記載の方法。
【請求項８】
複数の送信ビームを有する基地局と、複数の受信ビームを有するユーザー装置とを備える通信システムにおける前記ユーザー装置であって、
基地局が送信した下り同期信号に基づいて、ユーザー装置の前記複数の受信ビームのうちの利用可能受信ビーム及び基地局の前記複数の送信ビームのうちの利用可能送信ビームを決定するように構成される決定部と、
基地局の利用可能送信ビームを示す情報を、暗黙的に基地局に通知するように構成される通知部と、を含む、ユーザー装置。
【請求項９】
前記通知部は、基地局の利用可能送信ビームに対応する時間リソース、周波数リソースの少なくとも一つにおいてランダムアクセスプリアンブルを基地局に送信する、請求項８に記載のユーザー装置。
【請求項１０】
前記通知部は、ランダムアクセスプリアンブルの時間リソース、周波数リソースの少なくとも一つと基地局の各送信ビームとの対応関係に基づいて、基地局の利用可能送信ビームに対応するランダムアクセスプリアンブルの時間リソース、周波数リソースの少なくとも一つを決定する、請求項９に記載のユーザー装置。
【請求項１１】
前記通知部は、基地局の各送信ビームとランダムアクセスプリアンブルとの関連関係に基づいて、基地局の利用可能送信ビームに関連するランダムアクセスプリアンブルを決定し、
基地局の利用可能送信ビームに関連するランダムアクセスプリアンブルを基地局に送信する、請求項８に記載のユーザー装置。
【請求項１２】
ユーザー装置がレシプロシティをサポートし、且つ、前記決定部は、レシプロシティを利用して、ユーザー装置の利用可能受信ビームに基づいてユーザー装置の利用可能送信ビームを決定する、請求項８に記載のユーザー装置。
【請求項１３】
前記通知部は、ユーザー装置の利用可能送信ビームを利用して、基地局へランダムアクセスプリアンブルを送信する、請求項１２に記載のユーザー装置。
【請求項１４】
前記通知部は、複数の走査周期ごとに、１つの送信ビームを利用して基地局へ該走査周期に関連するランダムアクセスプリアンブルを送信し、ここで、異なる走査周期に利用される送信ビームが異なる、請求項８に記載のユーザー装置。
【請求項１５】
複数の送信ビームを有する基地局と、複数の受信ビームを有するユーザー装置とを備える通信システムにおける前記基地局であって、
ユーザー装置へ下り同期信号を送信するように構成される送信部と、
ユーザー装置から暗黙的に通知される、基地局の利用可能送信ビームを示す情報に基づいて、基地局の利用可能送信ビームを決定するように構成される決定部と、を含む、基地局。
【手続補正２】
【補正対象書類名】明細書
【補正対象項目名】０００４
【補正方法】変更
【補正の内容】
【０００４】
本開示の一実施例によれば、複数の送信ビームを有する基地局と、複数の受信ビームを有するユーザー装置とを備える通信システムにおいて、ユーザー装置により上りランダムアクセス手順において実行されるビーム決定方法であって、基地局が送信した下り同期信号に基づいて、ユーザー装置の前記複数の受信ビームのうちの利用可能受信ビーム及び基地局の前記複数の送信ビームのうちの利用可能送信ビームを決定することと、基地局の利用可能送信ビームを示す情報を、基地局に暗黙的に通知すること、を含む。
【手続補正３】
【補正対象書類名】明細書
【補正対象項目名】０００５
【補正方法】変更
【補正の内容】
【０００５】
本開示の別の実施例によれば、複数の送信ビームを有する基地局と、複数の受信ビームを有するユーザー装置とを備える通信システムにおいて、基地局により上りランダムアクセス手順において実行されるビーム決定方法であって、ユーザー装置へ下り同期信号を送信することと、ユーザー装置から暗黙的に通知される、基地局の利用可能送信ビームを示す情報に基づいて、基地局の利用可能送信ビームを決定すること、を含む。
【手続補正４】
【補正対象書類名】明細書
【補正対象項目名】０００６
【補正方法】変更
【補正の内容】
【０００６】
本開示の別の実施例によれば、複数の送信ビームを有する基地局と、全方向性アンテナを有するユーザー装置とを備える通信システムにおいて、ユーザー装置により上りランダムアクセス手順において実行されるビーム決定方法であって、基地局が送信した下り同期信号に基づいて、基地局の前記複数のビームのうちの利用可能送信ビームを決定することと、基地局の利用可能送信ビームを示す情報を、基地局に暗黙的に通知すること、を含む。
【手続補正５】
【補正対象書類名】明細書
【補正対象項目名】０００７
【補正方法】変更
【補正の内容】
【０００７】
本開示の別の実施例によれば、複数の送信ビームを有する基地局と、全方向性アンテナを有するユーザー装置とを備える通信システムにおいて、基地局により上りランダムアクセス手順において実行されるビーム決定方法であって、ユーザー装置へ下り同期信号を送信することと、ユーザー装置から暗黙的に通知される、基地局の利用可能送信ビームを示す情報に基づいて、基地局の利用可能送信ビームを決定すること、を含む。
【手続補正６】
【補正対象書類名】明細書
【補正対象項目名】０００８
【補正方法】変更
【補正の内容】
【０００８】
本開示の別の実施例によれば、複数の送信ビームを有する基地局と、複数の受信ビームを有するユーザー装置とを備える通信システムにおけるユーザー装置であって、基地局が送信した下り同期信号に基づいて、ユーザー装置の前記複数の受信ビームのうちの利用可能受信ビーム及び基地局の前記複数の送信ビームのうちの利用可能送信ビームを決定するように構成される決定部と、基地局の利用可能送信ビームを示す情報を、基地局に暗黙的に通知するように構成される通知部と、を含む。
【手続補正７】
【補正対象書類名】明細書
【補正対象項目名】０００９
【補正方法】変更
【補正の内容】
【０００９】
本開示の別の実施例によれば、複数の送信ビームを有する基地局と、複数の受信ビームを有するユーザー装置とを備える通信システムにおける基地局であって、ユーザー装置へ下り同期信号を送信するように構成される送信部と、ユーザー装置から暗黙的に通知される、基地局の利用可能送信ビームを示す情報に基づいて、基地局の利用可能送信ビームを決定するように構成される決定部と、を含む。
【手続補正８】
【補正対象書類名】明細書
【補正対象項目名】００１０
【補正方法】変更
【補正の内容】
【００１０】
本開示の別の実施例によれば、複数の送信ビームを有する基地局と、全方向性アンテナを有するユーザー装置とを備える通信システムにおけるユーザー装置であって、基地局が送信した下り同期信号に基づいて、基地局の前記複数のビームのうちの利用可能送信ビームを決定するように構成される決定部と、基地局の利用可能送信ビームを示す情報を、基地局に暗黙的に通知するように構成される通知部と、を含む。
【手続補正９】
【補正対象書類名】明細書
【補正対象項目名】００１１
【補正方法】変更
【補正の内容】
【００１１】
本開示の別の実施例によれば、複数の送信ビームを有する基地局と、全方向性アンテナを有するユーザー装置とを備える通信システムにおける基地局であって、ユーザー装置へ下り同期信号を送信するように構成される送信部と、ユーザー装置から暗黙的に通知される、基地局の利用可能送信ビームを示す情報に基づいて、基地局の利用可能送信ビームを決定するように構成される決定部と、を含む。
【手続補正１０】
【補正対象書類名】明細書
【補正対象項目名】００１５
【補正方法】変更
【補正の内容】
【００１５】
基地局１０は複数の指向性アンテナ、つまり複数の送信ビーム及び複数の受信ビームを有してもよく、それにより複数の受信ビームでＵＥから送信信号を受信してもよく、且つ複数の送信ビームでＵＥへ信号を送信してもよい。また、いくつかのシーンにおいて、ＵＥ２０は複数の指向性アンテナ、つまり複数の送信ビーム及び複数の受信ビームを有してもよく、それにより複数の受信ビームで基地局からの送信信号を受信してもよく、且つ複数の送信ビームで基地局へ信号を送信してもよい。他のシーンにおいて、ＵＥ２０は全方向性アンテナを有してもよく、それにより１つのみのビーム（全方向性ビーム）で信号を送受信する。基地局１０とユーザー装置２０との間のビーム送受信においては、基地局１０（又は、ユーザー装置２０）が送信に適用するビームと受信に適用するビームが一致しているか否かに応じてビームを利用した送信方法を適宜制御してもよい。基地局１０等において送信に適用するビームと受信に適用するビームが一致する場合は、送信／受信レシプロシティ（ｒｅｃｉｐｒｏｃｉｔｙ）が利用できる（サポートしている）と呼んでもよい。一方で、送信に適用するビームと受信に適用するビームが一致しない場合は、送信／受信レシプロシティを利用できない（サポートしていない）と呼んでもよい。ここで、送信に適用するビームと受信に適用するビームが一致するとは、完全に一致する場合に限られず、所定の許容範囲において一致する場合も含むものとする。なお、送信／受信レシプロシティは、送信／受信ビームコレスポンデンス（ｂｅａｍ  ｃｏｒｒｅｓｐｏｎｄｅｎｃｅ）、送信／受信コレスポンデンス、ビームコレスポンデンスと呼んでもよい。また、基地局１０はコレスポンデンス（ビームコレスポンデンス、レシプロシティ）をサポートしてもよいし、コレスポンデンス（ビームコレスポンデンス、レシプロシティ）をサポートしなくてもよく、ＵＥ２０もコレスポンデンス（ビームコレスポンデンス、レシプロシティ）をサポートしてもよいし、コレスポンデンス（ビームコレスポンデンス、レシプロシティ）をサポートしなくてもよい。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
ビーム選択を実行するユーザー装置であって、
基地局から送信される下り同期信号に基づいて、前記基地局の複数の送信ビームのうち、１つの送信ビームを選択するように構成される選択部と、
選択された１つの送信ビームに対応する時間リソース又は周波数リソースの少なくとも１つでランダムアクセスプリアンブルを前記基地局に送信するように構成される通知部と、を含むことを特徴とするユーザー装置。
【請求項２】
前記通知部は、前記ランダムアクセスプリアンブルの時間リソース又は周波数リソースの少なくとも１つと前記基地局の各送信ビームとの間の対応関係に基づいて、選択された前記１つの送信ビームに対応する前記ランダムアクセスプリアンブルの時間リソース又は周波数リソースの少なくとも１つを選択することを特徴とする請求項１に記載のユーザー装置。
【請求項３】
前記通知部は、前記基地局の各送信ビームとランダムアクセスプリアンブルとの間の関連関係に基づいて、選択された前記１つの送信ビームに関連付けられる前記ランダムアクセスプリアンブルを選択し、選択された前記１つの送信ビームに関連付けられる前記ランダムアクセスプリアンブルを前記基地局に送信することを特徴とする請求項１に記載のユーザー装置。
【請求項４】
ユーザー装置によって実行されるビーム選択方法であって、
基地局から送信される下り同期信号に基づいて、前記基地局の複数の送信ビームのうち、１つの送信ビームを選択する工程と、
選択された１つの送信ビームに対応する時間リソース又は周波数リソースの少なくとも１つでランダムアクセスプリアンブルを前記基地局に送信する工程と、を含むことを特徴とするビーム選択方法。
【請求項５】
前記ランダムアクセスプリアンブルの時間リソース又は周波数リソースの少なくとも１つと前記基地局の各送信ビームとの間の対応関係に基づいて、選択された前記１つの送信ビームに対応する前記ランダムアクセスプリアンブルの時間リソース又は周波数リソースの少なくとも１つを選択することを特徴とする請求項４に記載のビーム選択方法。
【請求項６】
選択された１つの送信ビームに対応する時間リソース又は周波数リソースの少なくとも１つで前記ランダムアクセスプリアンブルを前記基地局に送信する工程は、
前記基地局の各送信ビームとランダムアクセスプリアンブルとの間の関連関係に基づいて、選択された前記１つの送信ビームに関連付けられる前記ランダムアクセスプリアンブルを選択する工程と、
選択された前記１つの送信ビームに関連付けられる前記ランダムアクセスプリアンブルを前記基地局に送信する工程と、を含むことを特徴とする請求項４に記載のビーム選択方法。
【手続補正２】
【補正対象書類名】明細書
【補正対象項目名】０００４
【補正方法】変更
【補正の内容】
【０００４】
本開示の一実施例におけるビーム選択を実行するユーザー装置は、基地局から送信される下り同期信号に基づいて、前記基地局の複数の送信ビームのうち、１つの送信ビームを選択するように構成される選択部と、選択された１つの送信ビームに対応する時間リソース又は周波数リソースの少なくとも１つでランダムアクセスプリアンブルを前記基地局に送信するように構成される通知部と、を含むことを特徴とする。
【手続補正３】
【補正対象書類名】明細書
【補正対象項目名】０００５
【補正方法】変更
【補正の内容】
【０００５】
本開示の別の実施例によれば、前記通知部は、前記ランダムアクセスプリアンブルの時間リソース又は周波数リソースの少なくとも１つと前記基地局の各送信ビームとの間の対応関係に基づいて、選択された前記１つの送信ビームに対応する前記ランダムアクセスプリアンブルの時間リソース又は周波数リソースの少なくとも１つを選択することを特徴とする。
【手続補正４】
【補正対象書類名】明細書
【補正対象項目名】０００６
【補正方法】変更
【補正の内容】
【０００６】
本開示の別の実施例によれば、前記通知部は、前記基地局の各送信ビームとランダムアクセスプリアンブルとの間の関連関係に基づいて、選択された前記１つの送信ビームに関連付けられる前記ランダムアクセスプリアンブルを選択し、選択された前記１つの送信ビームに関連付けられる前記ランダムアクセスプリアンブルを前記基地局に送信することを特徴とする。
【手続補正５】
【補正対象書類名】明細書
【補正対象項目名】０００７
【補正方法】変更
【補正の内容】
【０００７】
本開示の別の実施例におけるユーザー装置によって実行されるビーム選択方法は、基地局から送信される下り同期信号に基づいて、前記基地局の複数の送信ビームのうち、１つの送信ビームを選択する工程と、選択された１つの送信ビームに対応する時間リソース又は周波数リソースの少なくとも１つでランダムアクセスプリアンブルを前記基地局に送信する工程と、を含むことを特徴とする。
【手続補正６】
【補正対象書類名】明細書
【補正対象項目名】０００８
【補正方法】変更
【補正の内容】
【０００８】
本開示の別の実施例によれば、前記ランダムアクセスプリアンブルの時間リソース又は周波数リソースの少なくとも１つと前記基地局の各送信ビームとの間の対応関係に基づいて、選択された前記１つの送信ビームに対応する前記ランダムアクセスプリアンブルの時間リソース又は周波数リソースの少なくとも１つを選択することを特徴とする。
【手続補正７】
【補正対象書類名】明細書
【補正対象項目名】０００９
【補正方法】変更
【補正の内容】
【０００９】
本開示の別の実施例によれば、選択された１つの送信ビームに対応する時間リソース又は周波数リソースの少なくとも１つで前記ランダムアクセスプリアンブルを前記基地局に送信する工程は、前記基地局の各送信ビームとランダムアクセスプリアンブルとの間の関連関係に基づいて、選択された前記１つの送信ビームに関連付けられる前記ランダムアクセスプリアンブルを選択する工程と、選択された前記１つの送信ビームに関連付けられる前記ランダムアクセスプリアンブルを前記基地局に送信する工程と、を含むことを特徴とする。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【国際調査報告】
2019537329.tif 000025
2019537329.tif 000026
2019537329.tif 000027
2019537329.tif 000028